(57)【要約】  子機において緊急発報を可能とする際に生じる種々の問題点を解決する無線通話システムを提供する。無線通話システムにおいて、緊急発報子機（２１０）は、緊急発報の同報送信を行うための緊急発報部（２１１）を備えており、接続要求子機（２２０）は、緊急発報子機（２１０）に対する接続要求信号を送信するための接続要求部（２２１）を備えている。緊急発報子機（２１０）は、緊急発報を行った後に、接続要求子機（２２０）の接続要求部（２２１）から接続要求信号が送信されることにより、接続要求子機（２２０）との間の通話を可能とする自動通話開始部（２１２）を備えている。
2015504252.tif 000002
【特許請求の範囲】
【請求項１】
互いに無線通話を行なう複数の無線通話子機を含む無線通話システムであって、
前記複数の無線通話子機のうちの少なくとも一部の無線通話子機は、緊急発報機能を有し、前記複数の無線通話子機のうちの少なくとも一部の無線通話子機は、接続要求機能を有し、
前記緊急発報機能を有する無線通話子機は、緊急発報の同報送信を行うための緊急発報部を備え、
前記接続要求機能を有する無線通話子機は、前記緊急発報を行なった無線通話子機に対する接続要求信号を送信するための接続要求部を備え、
前記緊急発報機能を有する無線通話子機は、当該無線通話子機が前記緊急発報を行った後に、当該無線通話子機以外の前記接続要求機能を有する無線通話子機の前記接続要求部から前記接続要求信号が送信されることにより、当該無線通話子機以外の前記接続要求機能を有する無線通話子機との間の通話を可能とする自動通話開始部を備えることを特徴とする無線通話システム。
【請求項２】
前記無線通話システムは、さらに無線通話親機を含み、前記複数の無線通話子機が前記無線通話親機を介して互いに無線通話を行なう無線通話システムであり、
前記緊急発報部は、緊急発報信号を前記無線通話親機に送信し、
前記接続要求部は、前記接続要求信号を前記無線通話親機に送信し、
前記無線通話親機は、前記緊急発報信号の受信に応じて、前記緊急発報信号を送信した無線通話子機以外の無線通話子機への前記緊急発報の同報送信を行う同報通信部と、前記接続要求信号の受信に応じて、前記緊急発報を行なった無線通話子機を通話可能な状態にするための通話制御信号を送信する通話制御部とを備え、
前記自動通話開始部は、前記通話制御信号の受信に応じて、自動的に前記接続要求信号を送信した無線通話子機との間の通話を可能とすることを特徴とする請求項１に記載の無線通話システム。
【請求項３】
前記無線通話親機の同報通信部は、前記無線通話にて使用する通信チャンネルを優先的に確保して、前記緊急発報の同報送信を行なうことを特徴とする請求項２に記載の無線通話システム。
【請求項４】
前記複数の無線通話子機のうちの少なくとも一部の無線通話子機は、前記緊急発報機能及び前記接続要求機能のいずれをも有することを特徴とする請求項２又は３に記載の無線通話システム。
【請求項５】
前記複数の無線通話子機のうちのすべての無線通話子機が前記緊急発報機能及び前記接続要求機能のいずれをも有することを特徴とする請求項４に記載の無線通話システム。
【請求項６】
前記無線通話親機は、前記緊急発報を行なった無線通話子機が前記通話制御信号の受信に応じて通話可能な状態になった後に、前記緊急発報を行なった無線通話子機からの音声を、前記接続要求信号を送信した無線通話子機にのみ送信することを特徴とする請求項２乃至５のいずれか一項に記載の無線通話システム。
【請求項７】
前記無線通話親機は、前記緊急発報を行なった無線通話子機が前記通話制御信号の受信に応じて通話可能な状態になった後に、前記緊急発報を行なった無線通話子機からの音声を、複数の無線通話子機に同報送信することを特徴とする請求項２乃至５のいずれか一項に記載の無線通話システム。
【請求項８】
前記緊急発報の同報送信は、予め用意された音声の同報送信であることを特徴とする請
求項２乃至７のいずれか一項に記載の無線通話システム。
【請求項９】
前記緊急発報の同報送信は、緊急発報を行なう無線通話子機のユーザの声の同報送信であることを特徴とする請求項２乃至７のいずれか一項に記載の無線通話システム。
【請求項１０】
前記無線通話親機は、前記緊急発報が停止した後の一定期間、前記緊急発報があったことを示す緊急発報報知信号を同報通信により送信し、
前記無線通話子機は、前記緊急発報報知信号を受けたことを当該無線通話子機のユーザに報知する緊急発報報知部を備えている
ことを特徴とする請求項２乃至９のいずれか一項に記載の無線通話システム。
【請求項１１】
前記複数の無線通話子機には応答機能を有する無線通話子機が含まれ、
前記応答機能を有する無線通話子機は、ユーザによる所定の操作に応じて、前記緊急発報に応答するための応答信号を送信する応答部を備えており、
前記同報通信部は、前記応答信号の受信に応じて、前記緊急発報の同報送信を停止することを特徴とする請求項２乃至１０のいずれか一項に記載の無線通話システム。
【請求項１２】
前記複数の無線通話子機のうちの一部の無線通話子機は、拡声器を備えており、
前記複数の無線通話子機のうちの一部の無線通話子機は、前記拡声器から緊急発報の音声を出力し、又は出力しないよう制御するための拡声器制御信号を送信する拡声器制御部を備えており、
前記無線通話親機の同報通信部は、前記拡声器制御信号の受信に応じて、前記拡声器を備えた無線通話子機に緊急発報の音声を送信し又は送信しないようにすることを特徴とする請求項２乃至１１のいずれか一項に記載の無線通話システム。
【請求項１３】
前記無線通話親機の同報通信部は、前記緊急発報信号の受信に応じて、前記緊急発報信号を送信した無線通話子機以外の無線通話子機への前記緊急発報の同報送信を行う場合に、前記緊急発報信号を送信した無線通話子機以外の無線通話子機同士の通話の中継を中止することを特徴とする請求項２乃至１２のいずれか一項に記載の無線通話システム。
【請求項１４】
無線通話親機と複数の無線通話子機とを含み、前記複数の無線通話子機が前記無線通話親機を介して互いに無線通話を行なう無線通話システムにおける前記無線通話親機であって、前記複数の無線通話子機のうちの少なくとも一部の無線通話子機は、緊急発報機能を有し、前記複数の無線通話子機のうちの少なくとも一部の無線通話子機は、接続要求機能を有し、
前記無線通話親機は、
前記緊急発報機能を有する無線通話子機からの緊急発報信号の受信に応じて、前記緊急発報信号を送信した無線通話子機から他の無線通話子機への前記緊急発報の同報送信を行う同報通信部と、
前記接続要求機能を有する無線通話子機からの接続要求信号の受信に応じて、前記緊急発報を行なった無線通話子機を通話可能な状態にするための通話制御信号を送信する通話制御部と、
を備え、
前記同報通信部は、前記緊急発報を行なった無線通話子機が前記通話制御信号の受信に応じて通話可能な状態になった後に、前記緊急発報を行なった無線通話子機からの音声を、前記緊急発報を行なった無線通話子機以外の無線通話子機に送信することを特徴とする無線通話親機。
【請求項１５】
前記緊急発報を行なった無線通話子機が前記通話制御信号の受信に応じて通話可能な状態になった後に、前記緊急発報を行なった無線通話子機からの音声を、前記接続要求信号
を送信した無線通話子機にのみ送信することを特徴とする請求項１４に記載の無線通話親機。
【請求項１６】
前記緊急発報を行なった無線通話子機が前記通話制御信号の受信に応じて通話可能な状態になった後に、前記緊急発報を行なった無線通話子機からの音声を、複数の無線通話子機に同報送信することを特徴とする請求項１４に記載の無線通話親機。
【請求項１７】
無線通話親機と複数の無線通話子機とを含み、前記複数の無線通話子機が前記無線通話親機を介して互いに無線通話を行なう無線通話システムにおける無線通話方法であって、
前記複数の無線通話子機のうちの少なくとも一部の無線通話子機は、緊急発報機能を有し、前記複数の無線通話子機のうちの少なくとも一部の無線通話子機は、接続要求機能を有し、
前記無線通話方法は、
前記緊急発報機能を有する無線通話子機にて、緊急発報の同報送信を行うための緊急発報信号を前記無線通話親機に送信する緊急発報ステップと、
前記無線通話親機にて、前記緊急発報信号を送信した無線通話子機以外の無線通話子機への前記緊急発報の同報送信を行う同報通信ステップと、
前記無線通話親機にて、前記緊急発報の同報送信を停止する緊急発報停止ステップと、
前記接続要求機能を有する無線通話子機にて、前記緊急発報を行なった無線通話子機に対する接続要求信号を送信する接続要求送信ステップと、
前記無線通話親機にて、前記接続要求信号の受信に応じて、前記緊急発報を行なった無線通話子機を通話可能な状態にするための通話制御信号を送信する通話制御ステップと、
前記緊急発報ステップにて緊急発報を行なった無線通話子機にて、前記通話制御ステップにて送信された前記通話制御信号の受信に応じて、自動的に前記接続要求信号を送信した無線通話子機との間の通話を可能とする自動通話開始ステップと、
を含むことを特徴とする無線通話方法。
【請求項１８】
無線通話親機と複数の無線通話子機とを含み、前記複数の無線通話子機が前記無線通話親機を介して互いに無線通話を行なう無線通話システムの前記無線通話親機における無線通話中継方法であって、
前記複数の無線通話子機のうちの少なくとも一部の無線通話子機は、緊急発報機能を有し、前記複数の無線通話子機のうちの少なくとも一部の無線通話子機は、接続要求機能を有し、
前記無線通話中継方法は、
前記緊急発報機能を有する無線通話子機からの緊急発報信号の受信に応じて、前記緊急発報信号を送信した無線通話子機以外の無線通話子機への前記緊急発報の同報送信を行う同報通信ステップと、
前記緊急発報の同報送信を停止する緊急発報停止ステップと、
前記接続要求機能を有する無線通話子機からの接続要求信号の受信に応じて、前記緊急発報を行なった無線通話子機を通話可能な状態にするための通話制御信号を送信する通話制御ステップと、
前記緊急発報を行なった無線通話子機が前記通話制御信号の受信に応じて通話可能な状態になった後に、前記緊急発報を行なった無線通話子機からの音声を、前記緊急発報を行なった無線通話子機以外の無線通話子機に送信する中継ステップと、
を含むことを特徴とする無線通話中継方法。
【請求項１９】
無線通話親機が請求項１８に記載の無線通話中継方法を実行するために、前記無線通話親機にて実行されるプログラム。
【請求項２０】
無線通話親機と複数の無線通話子機とを備え、前記複数の無線通話子機が複数の通話チャンネルを使用して前記無線通話親機を介して互いに無線通話を行ない、前記複数の無線通話子機が、専用の通信チャンネルを有する第１の無線通話子機と、前記専用の通信チャンネルとは異なる複数の通信チャンネルを有する第２の無線通話子機を含む、無線通話システムにおける無線通話方法であって、
１つの前記第２の無線通話子機は、所定の操作により他の無線通話子機に対して同報通信を行い、かつ、前記無線通話親機に対して前記１つの第２の無線通話子機のＩＤ信号を送る第１のステップと、
前記第１の無線通話子機が前記無線通話親機に対して前記同報通信を行った第２の無線通話子機との接続を要求する第２のステップと、
前記無線通話親機は、受信した前記第２の無線通話子機のＩＤ信号に基づいて前記１つの第１の無線通話子機と前記同報通信を行った第２の無線通話子機との間の通話を可能とする第３のステップと、
を備えることを特徴とする無線通話方法。
【請求項２１】
前記第３のステップにて、前記第１の無線通話子機と前記１つの第２の無線通話子機との間の通話には、前記第１の無線子機の専用の通信チャンネル以外の前記複数の通信チャンネルの１つが優先的に使用されることを特徴とする請求項２０記載の無線通話方法。
【請求項２２】
前記第３のステップにて、前記第１の無線通話子機と前記１つの第２の無線通話子機との間の通話には、前記第１の無線通話子機の専用の通信チャンネルが使用されることを特徴とする請求項２０記載の無線通話方法。
【請求項２３】
無線通話親機と複数の無線通話子機とを備え、前記複数の無線通話子機が複数の通話チャンネルを使用して前記無線通話親機を介して互いに無線通話を行ない、前記複数の無線通話子機には、専用の通信チャンネルを有する第１の無線通話子機と、前記専用の通信チャンネルと異なる複数の通信チャンネルを有する第２の無線通話子機とを含む無線通話システムであって、
前記第２の無線通話子機は、所定の操作により他の無線通話子機に対して同報通信を行い、かつ、前記無線通話親機に対して前記第２の無線通話子機のＩＤ信号を送り、前記第２の無線通話子機の後に、前記第１の無線通話子機が前記第２の無線通話子機に対して接続を要求すると、前記無線通話親機は、受信した前記第２の無線通話子機のＩＤ信号に基づいて前記第１の無線通話子機と第２の無線通話子機との間の通話を可能とすることを特徴とする無線通話システム。
【請求項２４】
前記第１の無線通話子機と前記１つの第２の無線通話子機との間の通話には、前記第１の無線通話子機の専用の通信チャンネル以外の前記複数の通信チャンネルの１つが優先的に使用されることを特徴とする請求項２３記載の無線通話システム。
【請求項２５】
前記第１の無線通話子機と前記１つの第２の無線通話子機との間の通話には、前記第１の無線通話子機の専用の通信チャンネルが使用されることを特徴とする請求項２３記載の無線通話システム。
【発明の詳細な説明】
【関連する出願】
【０００１】
本出願では、２０１１年１０月２１日に日本国に出願された特許出願番号２０１１−２３１２０３の利益を主張し、当該出願の内容は引用することによりここに組み込まれているものとする。
【技術分野】
【０００２】
本発明は、無線通話システム及び無線通話方法に関し、特に、子機からの緊急発報が可能な無線通話システム及び無線通話方法に関するものである。
【背景技術】
【０００３】
複数の無線通話子機（以下、単に「子機」という。）が互いに無線通話を行なう無線通話システムが知られている。無線通話システムには、子機同士が直接無線で通信をするタイプと、複数の子機の通話状態を制御する無線通話中継器としての無線通話親機（以下、単に「親機」という。）が複数の子機との間で無線通信を行なうことにより、子機同士が親機を介して通話を実現するタイプとがある。これらのような無線通話システムは、例えば飲食店における無線通話システムとして応用される。以下、複数の子機とそれらの通話状態を制御する親機とからなる無線通話システムが、飲食店、特にドライブスルーを備えたファストフード店で用いられる場合を例に、従来の無線通話システムを説明する。
【０００４】
この種の無線通話システムがファストフード店で用いられる場合には、親機が店内の適切な箇所（例えば、注文カウンタ付近）に設置される。子機には、マネージャ（店長）、サブマネージャ（副店長）、及びクラーク（一般店員）を含むスタッフが携帯する携帯型インターカム（以下、「インカム」と略称する。）としての子機、注文確認ディスプレイ（Confirmation Order Display：ＣＯＤ）を含むドライブスルーシステムの一部としてドライブスルー利用客が使用するマイク及び拡声器を備えたドライブスルー子機、キッチン内に配置されるキッチン子機等が含まれる。
【０００５】
マネージャ及びサブマネージャの子機にはマネージャ設定がされている。また、無線通話システムには、複数の通信チャンネルが用意されている。ここでは、４チャンネルが用意されているとする。このうちの１チャンネルはマネージャ設定がされた子機（以下、「マネージャ設定子機」という。）専用に確保されており、残りの３チャンネルはその他の子機（以下、「一般設定子機」という。）に用いられる。
【０００６】
一般設定子機の通話については、通話をする子機に対して、その都度通信チャンネルが割り当てられる。この例では一般設定子機には３チャンネルが割り当てられているので、一般設定子機は、最大で３つの通話チャンネルを利用して同時に通話をすることができる。但し、一般設定子機に割り当て可能な通信チャンネル数は３チャンネルのみであるので、４以上の一般設定子機の通話を同時に行うことはできない。一般設定子機がすでに３つの通信チャンネルを使用しているときに、さらに一般設定子機が通話を開始すると、すでに通話を開始している一般設定子機のうち、最初に通話を開始した一般設定子機の通話が強制的に切断されて、新たな一般設定子機の通話ために通信チャンネルを明け渡すことになる。
【０００７】
従来の無線通話システムでは、通話モードとして、ＰＡＧＥモードとＴＡＬＫモードとが用意されている。ＰＡＧＥモードは、客との通話を切断してスタッフのみの通話をするモードである。具体的には、ＰＡＧＥモードでは、音声出力部として拡声器を備えたドライブスルー子機は無線通話システムから切断されて、ドライブスルー子機の拡声器からは通話が聞こえないようになる。このＰＡＧＥモードを利用することにより、スタッフ間での業務連絡が可能になる。ＴＡＬＫモードでは、ドライブスルー子機を含む子機で通話が可能であり、ドライブスルーでの注文受け等の通常の業務において使用される。
【０００８】
スタッフは、子機である携帯型インカムに備えられたボタンを操作することでＰＡＧＥモード又はＴＡＬＫモードを指定して通話をすることができる。また、ドライブスルーシステムには、ドライブスルーにて注文をする車両を感知する車両センサが設けられており、車両センサが車両を感知することでも、ＴＡＬＫモードが開始する。
【０００９】
一方、マネージャ設定子機のために４つの通信チャンネルのうちの１チャンネルが確保されているので、マネージャ設定子機は、残りの３つの通信チャンネルの利用状況に関らず、常に通話をすることができる。これにより、マネージャ及びサブマネージャは、緊急ないしは重要な連絡を確実に他のスタッフに伝えることができる。
【先行技術文献】
【特許文献】
【００１０】
【特許文献１】特開平６−１４０９８７号公報
【発明の概要】
【発明が解決しようとする課題】
【００１１】
このような無線通話システムにおいて、緊急ないしは重大な事態（例えば、火災の発生や強盗の発生等、以下、単に「緊急事態」という。）が発生した場合には、一般設定子機からも、緊急事態の発生を他のスタッフに確実に通知できるようにしたいという要望がある。そこで、一般設定子機に対しても、特定の操作をした場合には、緊急事態の発生を他のスタッフに通知するために、同報通信によって他のスタッフに緊急事態の発生を通知する緊急発報機能を持たせた無線通話システムが考えられる。
【００１２】
しかしながら、無線通話システムにおいて、クラーク等が使用する一般設定子機において緊急発報を可能にすると、以下の問題が生じる。
【００１３】
緊急発報に対して、緊急事態が収拾したか否かを他のスタッフが確認できないまま、緊急発報の同報送信が終了させられると、他のスタッフは、緊急事態が収拾したのか否かを確認できない。
【００１４】
この場合に、マネージャを含む他のスタッフは、緊急発報を行った者（以下、「緊急発報者」という。）に対して、ＰＡＧＥモード又はＴＡＬＫモードで、詳細状況の報告を呼びかけることができるが、緊急発報者は緊急事態ゆえに（例えば、火災が発生している、強盗に脅されている、慌てて操作の仕方がわからなくなっている等のため）、インカムに所定の操作をすることができず、通話を開始できないことがある。
【００１５】
他のスタッフの一人（例えばマネージャ）が緊急発報者との間での強制的に相互通話を開始することで、緊急発報者がインカムを操作しなくても通話ができるようにして、緊急発報者に状況を確認するということも考えられるが、そもそも他のスタッフにおいて緊急発報者が誰かを特定できないこともある。
【００１６】
本発明は、上記課題を解決するためになされたものであり、子機において緊急発報を可能とする際に生じる上記の問題点を解決する無線通話システムを提供することを目的とする。
【課題を解決するための手段】
【００１７】
上記従来の課題を解決するために、本発明の無線通話システムは、互いに無線通話を行なう複数の子機を含む無線通話システムであって、複数の子機のうちの少なくとも一部の子機は、緊急発報機能を有し、複数の子機のうちの少なくとも一部の子機は、接続要求機能を有し、緊急発報機能を有する子機は、緊急発報の同報送信を行うための緊急発報部を備え、接続要求機能を有する子機は、緊急発報を行なった子機に対する接続要求信号を送信するための接続要求部を備え、緊急発報機能を有する子機は、当該子機が緊急発報を行った後に、当該子機以外の接続要求機能を有する子機の接続要求部から接続要求信号が送信されることにより、当該子機以外の接続要求機能を有する子機との間の通話を可能とする自動通話開始部を備えている。
【００１８】
本発明の別の態様は、親機と複数の子機とを含み、複数の子機が親機を介して互いに無線通話を行なう無線通話システムにおける親機である。ここで、複数の子機のうちの少なくとも一部の子機は、緊急発報機能を有し、複数の子機のうちの少なくとも一部の子機は、接続要求機能を有する。親機は、緊急発報機能を有する子機からの緊急発報信号の受信に応じて、緊急発報信号を送信した子機から他の子機への緊急発報の同報送信を行う同報通信部と、接続要求機能を有する子機からの接続要求信号の受信に応じて、緊急発報を行なった子機を通話可能な状態にするための通話制御信号を送信する通話制御部とを備え、同報通信部は、緊急発報を行なった子機が通話制御信号の受信に応じて通話可能な状態になった後に、緊急発報を行なった子機からの音声を、緊急発報を行なった子機以外の子機に送信する。
【００１９】
本発明のさらに別の態様は、親機と複数の子機とを含み、複数の子機が親機を介して互いに無線通話を行なう無線通話システムにおける無線通話方法である。ここで、複数の子機のうちの少なくとも一部の子機は、緊急発報機能を有し、複数の子機のうちの少なくとも一部の子機は、接続要求機能を有する。無線通話方法は、緊急発報機能を有する子機にて、緊急発報の同報送信を行うための緊急発報信号を親機に送信する緊急発報ステップと、親機にて、緊急発報信号を送信した子機以外の子機への緊急発報の同報送信を行う同報通信ステップと、親機にて、緊急発報の同報送信を停止する緊急発報停止ステップと、接続要求機能を有する子機にて、緊急発報を行なった子機に対する接続要求信号を送信する接続要求送信ステップと、親機にて、接続要求信号の受信に応じて、緊急発報を行なった子機を通話可能な状態にするための通話制御信号を送信する通話制御ステップと、緊急発報ステップにて緊急発報を行なった子機にて、通話制御ステップにて送信された通話制御信号の受信に応じて、自動的に接続要求信号を送信した子機との間の通話を可能とする自動通話開始ステップとを含んでいる。
【００２０】
本発明のさらに別の態様は、親機と複数の子機とを含み、複数の子機が親機を介して互いに無線通話を行なう無線通話システムの親機における無線通話中継方法である。ここで、複数の子機のうちの少なくとも一部の子機は、緊急発報機能を有し、複数の子機のうちの少なくとも一部の子機は、接続要求機能を有する。無線通話中継方法は、緊急発報機能を有する子機からの緊急発報信号の受信に応じて、緊急発報信号を送信した子機以外の子機への緊急発報の同報送信を行う同報通信ステップと、緊急発報の同報送信を停止する緊急発報停止ステップと、接続要求機能を有する子機からの接続要求信号の受信に応じて、緊急発報を行なった子機を通話可能な状態にするための通話制御信号を送信する通話制御ステップと、緊急発報を行なった子機が通話制御信号の受信に応じて通話可能な状態になった後に、緊急発報を行なった子機からの音声を、緊急発報を行なった子機以外の子機に送信する中継ステップとを含んでいる。
【００２１】
本発明のさらに別の態様は、プログラムである。このプログラムは、親機が上記の無線通話中継方法を実行するために、親機にて実行される。
【発明の効果】
【００２２】
本発明によれば、緊急発報機能を有する子機によって、緊急発報の同報送信が行なわれ、その緊急発報の後に、接続要求機能を有する子機にて、緊急発報者から更なる情報を得たい場合には、そこから接続要求信号を送信することにより、緊急発報者の子機は、自動的に、通話可能な状態になるので、緊急発報が停止した後に更なる情報を得たい他のユーザは、緊急発報者が誰であるかを知らなくても、当該他のユーザの接続要求機能を有する子機から接続要求信号を送信するだけで、緊急発報者の子機と通話できるとともに、接続要求信号が送信されると、緊急発報者の子機では、自動的に通話が開始されるので、緊急発報者において、緊急発報が停止した後に、他の子機との通話を開始するための操作ができない状況にあったとしても、他の子機との通話が可能になる。
【００２３】
以下に説明するように、本発明には他の態様が存在する。したがって、この発明の開示は、本発明の一部の提供を意図しており、ここで記述され請求される発明の範囲を制限することは意図していない。
【図面の簡単な説明】
【００２４】
【図１】図１は、本発明の第１の実施の形態における緊急発報の動作を示す図
【図２】図２は、本発明の実施の形態における無線通話システムの構成図
【図３】図３は、本発明の実施の形態における子機のヘッドセットの外観図
【図４】図４は、本発明の実施の形態におけるヘッドセットの操作部の拡大図
【図５】図５は、本発明の実施の形態におけるマネージャ用子機等の構成を示す図
【図６】図６は、本発明の実施の形態におけるキッチン用子機等の構成を示す図
【図７】図７は、本発明の実施の形態における親機の構成を示す図
【図８】図８は、本発明の実施の形態におけるＴＡＬＫモードの拡声ルーティングテーブルを示す図
【図９】図９は、本発明の実施の形態におけるＰＡＧＥモードの拡声ルーティングテーブルを示す図
【図１０】図１０は、本発明の第１の実施の形態における緊急発報の動作を説明するための無線通話システムの構成を示す図
【図１１】図１１は、本発明の実施の形態における緊急発報の拡声ルーティングテーブルを示す図
【図１２】図１２は、本発明の第２の実施の形態における緊急発報の動作を示す図
【図１３】図１３は、本発明の第２の実施の形態における緊急発報の動作を説明するための無線通話システムの構成を示す図
【図１４】図１４は、本発明の第３の実施の形態における緊急発報の動作を示す図
【図１５】図１５は、本発明の第３の実施の形態における緊急発報の動作を説明するための無線通話システムの構成を示す図
【図１６】図１６は、本発明の第４の実施の形態における緊急発報の動作を示す図
【図１７】図１７は、本発明の第５の実施の形態における緊急発報の動作を示す図
【図１８】図１８は、本発明の第５の実施の形態における緊急発報の動作を示す図
【図１９】図１９は、本発明の第５の実施の形態における緊急発報の動作を説明するための無線通話システムの構成を示す図
【図２０】図２０は、本発明の第６の実施の形態における緊急発報の動作を示す図
【図２１】図２１は、本発明の第６の実施の形態における緊急発報の動作を説明するための無線通話システムの構成を示す図
【発明を実施するための形態】
【００２５】
以下に、本発明の詳細な説明を述べる。以下に説明する実施の形態は本発明の単なる例であり、本発明は様々な態様に変形することができる。従って、以下に開示する特定の構成および機能は、特許請求の範囲を限定するものではない。
【００２６】
上記従来の課題を解決するために、本発明の無線通話システムは、互いに無線通話を行なう複数の子機を含む無線通話システムであって、複数の子機のうちの少なくとも一部の子機は、緊急発報機能を有し、複数の子機のうちの少なくとも一部の子機は、接続要求機能を有し、緊急発報機能を有する子機は、緊急発報の同報送信を行うための
緊急発報部を備え、接続要求機能を有する子機は、緊急発報を行なった子機に対する接続要求信号を送信するための接続要求部を備え、緊急発報機能を有する子機は、当該子機が緊急発報を行った後に、当該子機以外の接続要求機能を有する子機の接続要求部から接続要求信号が送信されることにより、接続要求信号を送信した子機との間の通話を可能とする自動通話開始部を備えている。
【００２７】
この構成により、緊急発報機能を有する子機によって、緊急発報の同報送信が行なわれ、その緊急発報の後に、接続要求機能を有する子機にて、緊急発報者から更なる情報を得たい場合には、そこから接続要求信号を送信することにより、緊急発報者の子機は、自動的に、通話可能な状態になる。したがって、緊急発報が停止した後に更なる情報を得たい他のユーザは、緊急発報者が誰であるかを知らなくても、当該他のユーザの接続要求機能を有する子機にて接続要求操作をするだけで、緊急発報者の子機と通話できる。また、接続要求信号が送信されると、緊急発報者の子機では、自動的に（即ち、ユーザによる特別な操作を必要とせずに）通話が開始されるので、緊急発報者において、緊急発報が停止した後に、他の子機との通話を開始するための操作ができない状況にあったとしても、他の子機との通話が可能になる。
【００２８】
上記の無線通話システムは、さらに親機を含み、複数の子機が親機を介して互いに無線通話を行なう無線通話システムであり、緊急発報部は、緊急発報信号を親機に送信し、接続要求部は、接続要求信号を親機に送信し、親機は、緊急発報信号の受信に応じて、緊急発報信号を送信した子機以外の子機への緊急発報の同報送信を行う同報通信部と、接続要求信号の受信に応じて、緊急発報を行なった子機を通話可能な状態にするための通話制御信号を送信する通話制御部とを備え、自動通話開始部は、通話制御信号の受信に応じて、自動的に接続要求信号を送信した子機との間の通話を可能としてよい。
【００２９】
この構成によれば、複数の子機が親機を介して互いに無線通話を行なう無線通話システムにおいて、緊急発報機能を有する子機から緊急発報をした際の種々の問題を回避できる。
【００３０】
上記の無線通話システムにおいて、同報通信部は、無線通話にて使用する通信チャンネルを優先的に確保して、緊急発報の同報送信を行なってよい。
【００３１】
緊急発報の同報送信のために通信チャンネルを優先的に確保しない場合には、無線通話システムに用意された通信チャンネル数には限りがあるため、その限られた数の通信チャンネルを複数の者が使用することで、緊急発報の同報送信が切断されてしまうことがある。緊急発報者は、緊急発報の同報送信が切断された後に、さらに緊急発報をすることで通信チャンネルを使用できるが、緊急事態ゆえに（例えば、火災が発生している、強盗に脅されている、慌てて操作の仕方がわからなくなっている等のため）、緊急発報者において何度も通話開始のための操作をすることが困難なこともある。これに対して、上記の構成により、緊急発報の同報送信のために通信チャンネルが確保されるので、他の者の割り込みに関らず、確実に緊急事態を通知できる。
【００３２】
上記の無線通話システムにおいて、複数の子機のうちの少なくとも一部の子機は、緊急発報機能及び接続要求機能のいずれをも有していてよい。
【００３３】
この構成により、緊急発報を行なう可能性のあるユーザも、他人に緊急事態が発生した際に自分に余裕があるときには、その他人を助けるために接続要求をすることができる。また、上記の無線通話システムが飲食店における無線通話システムとして応用される場合には、例えば、マネージャ及びサブマネージャの子機のみが接続要求機能を有していても
よい。
【００３４】
上記の無線通話システムにおいて、複数の子機のうちのすべての子機が緊急発報機能及び接続要求機能のいずれをも有していてよい。
【００３５】
この構成により、すべての子機の構成を同一とすることができる。
【００３６】
上記の無線通話システムにおいて、親機は、緊急発報を行なった子機が通話制御信号の受信に応じて通話可能な状態になった後に、緊急発報を行なった子機からの音声を、接続要求信号を送信した子機にのみ送信してよい。
【００３７】
この構成により、接続要求信号を送信した子機と緊急発報を行った子機との間で１対１の相互通話ができるので、緊急発報者から接続要求者に、他の子機のユーザには聞かれたくない機密事項を含んだ内容の報告が可能になる。
【００３８】
上記の無線通話システムにおいて、親機は、緊急発報を行なった子機が通話制御信号の受信に応じて通話可能な状態になった後に、緊急発報を行なった子機からの音声を、複数の子機に同報送信してよい。
【００３９】
この構成により、緊急発報者の子機から、他の複数の子機に対して、緊急事態の詳細な状況を一斉に通知できる。
【００４０】
上記の無線通話システムにおいて、緊急発報の同報送信は、予め用意された音声の同報送信であってよい。予め用意された音声は、例えば、ビープ音であってよく、「緊急事態が発生しました」等のアナウンス音声であってもよい。
【００４１】
上記の無線通話システムにおいて、緊急発報の同報送信は、緊急発報を行なう子機のユーザの声の同報送信であってよい。
【００４２】
この構成により、緊急発報者であるユーザは、自らの声で緊急事態の発生を他の子機に伝えることができる。
【００４３】
上記の無線通話システムにおいて、親機は、緊急発報が停止した後の一定期間、緊急発報があったことを示す緊急発報報知信号を同報通信により送信してよく、子機は、緊急発報報知信号を受けたことを当該子機のユーザに報知する緊急発報報知部を備えていてよい。
【００４４】
緊急発報者の子機以外の子機において、緊急発報がされたときに電源が入っておらず、又は無線通話の電波圏外にあり、緊急発報が停止された後に、電源が入れられ、又は無線通話の電波圏内に入った場合には、緊急事態が発生して緊急発報が行なわれたことに気づかないという問題がある。これに対して、上記の構成により、緊急発報が停止された後に、電源が入れられ、又は無線通話の電波圏内に入った子機において、緊急発報報知信号を受けると、そのことがユーザに報知されるので、上記の問題を解決できる。なお、緊急発報報知部は、ランプを点灯又は点滅させる等の視覚を通じて報知する部であってよく、報知音を発する等の聴覚を通じて報知する部であってよく、バイブレータ等の触覚を通じて報知する部であってもよい。
【００４５】
上記の無線通話システムにおいて、複数の子機には応答機能を有する子機が含まれていてよく、応答機能を有する子機は、ユーザによる所定の操作に応じて、緊急発報に応答するための応答信号を送信する応答部を備えていてよく、同報通信部は、応答信号の受信に応じて、緊急発報の同報送信を停止してよい。
【００４６】
緊急発報者は、緊急発報操作をした後に、実際に緊急発報がされて、他の者が緊急発報を認知したか否かが分からず、不安になることがあるという問題がある。これに対して、上記の構成によれば、緊急発報者は、自らが送信した緊急発報が停止されたことで、いずれかの者が緊急発報を認知したことを確認でき、安心できる。また、緊急事態が発生していないにもかかわらず緊急事態が発生したと誤解したユーザが、誤って緊急発報をしてしまうこともある。これに対して、上記の構成によれば、緊急発報が誤りであったと気づいた者が、緊急発報を停止することができる。
【００４７】
上記の無線通話システムにおいて、複数の子機のうちの一部の子機は、拡声器を備えていてよく、複数の子機のうちの一部の子機は、拡声器から緊急発報の音声を出力し、又は出力しないよう制御するための拡声器制御信号を送信する拡声器制御部を備えていてよく、親機の同報通信部は、拡声器制御信号の受信に応じて、拡声器を備えた子機に緊急発報の音声を送信し、又は送信しないようにしてよい。
【００４８】
緊急事態の内容によっては、状況の機密性が高いために、多くの者（例えば、無線通話システムが飲食店で用いられる場合には、客）に聞かせたくない内容があり、逆に、多くの者の迅速な対応が必要なために、多くの者に積極的に聞かせたい内容がある。しかし、複数の子機の中に多くの者に聞こえる拡声器を備えた子機があり、そのような子機も含めて緊急発報の同報発信が行なわれると、拡声器から緊急発報の音声が出力されて、一律に多くの者に聞かれてしまうという問題がある。これに対して、上記の構成により、緊急発報があった場合に、子機から、拡声器からの緊急発報の音声の出力をオン／オフできるので、多くの者に聞かせる必要がある緊急発報については拡声器からその音声を出力し、多くの者に聞かせたくない緊急発報については拡声器からその音声を出力しないようにコントロールできる。例えば、初期設定としては拡声器からの緊急発報の音声の出力をオフにしておき、子機のユーザにおいて、緊急発報の内容を判断して、多くの者にも聞かせる必要があると判断したときに、その者の子機に対して所定の操作を行なうことで拡声器制御信号を送信して、拡声器からの緊急発報の音声の出力をオンにするという運用をすることができる。
【００４９】
上記の無線通話システムにおいて、親機の同報通信部は、緊急発報信号の受信に応じて、緊急発報信号を送信した子機以外の子機への緊急発報の同報送信を行う場合に、緊急発報信号を送信した子機以外の子機同士の通話の中継を中止してよい。
【００５０】
無線通話システムにおける複数の通信チャンネルを使用して複数の者が同時に通話をしていた場合において、それらの通話の音声に緊急発報の音声が重畳されると、緊急発報の音声が聞きづらくなるという問題がある。これに対して、上記の構成によれば、緊急発報の同報送信がされる場合には、他の通信チャンネルの通話が停止されるので、緊急発報を各子機のユーザにより確実に伝えることができる。
【００５１】
本発明の別の態様は、親機と複数の子機とを含み、複数の子機が親機を介して互いに無線通話を行なう無線通話システムにおける親機である。ここで、複数の子機のうちの少なくとも一部の子機は、緊急発報機能を有し、複数の子機のうちの少なくとも一部の子機は、接続要求機能を有する。親機は、緊急発報機能を有する子機からの緊急発報信号の受信に応じて、緊急発報信号を送信した子機から他の子機への緊急発報の同報送信を行う同報通信部と、接続要求機能を有する子機からの接続要求信号の受信に応じて、緊急発報を行なった子機を通話可能な状態にするための通話制御信号を送信する通話制御部とを備え、同報通信部は、緊急発報を行なった子機が通話制御信号の受信に応じて通話可能な状態になった後に、緊急発報を行なった子機からの音声を、緊急発報を行なった子機以外の子機に送信する。
【００５２】
この構成によっても、緊急発報機能を有する子機によって、緊急発報の同報送信が行なわれ、その緊急発報の後に、接続要求機能を有する子機にて、緊急発報者から更なる情報を得たい場合には、そこから接続要求信号を送信することにより、緊急発報者の子機は、自動的に、通話可能な状態になる。したがって、緊急発報が停止した後に更なる情報を得たい他のユーザは、緊急発報者が誰であるかを知らなくても、当該他のユーザの接続要求機能を有する子機から接続要求信号を送信するだけで、緊急発報者の子機と通話できる。また、接続要求信号が送信されると、緊急発報者の子機では、自動的に通話が開始されるので、緊急発報者において、緊急発報が停止した後に、他の子機との通話を開始するための操作ができない状況にあったとしても、他の子機との通話が可能になる。
【００５３】
上記の親機において、緊急発報を行なった子機が通話制御信号の受信に応じて通話可能な状態になった後に、緊急発報を行なった子機からの音声を、接続要求信号を送信した子機にのみ送信してよい。
【００５４】
この構成により、接続要求信号を送信した子機と緊急発報を行った子機との間で１対１の相互通話ができるので、緊急発報者から接続要求者に、他の子機のユーザには聞かれたくない機密事項を含んだ内容の報告が可能になる。
【００５５】
上記の親機において、緊急発報を行なった子機が通話制御信号の受信に応じて通話可能な状態になった後に、緊急発報を行なった子機からの音声を、複数の子機に同報送信してよい。
【００５６】
この構成により、緊急発報者の子機から、他の複数の子機に対して、緊急事態の詳細な状況を一斉に通知できる。
【００５７】
本発明のさらに別の態様は、親機と複数の子機とを含み、複数の子機が親機を介して互いに無線通話を行なう無線通話システムにおける無線通話方法である。ここで、複数の子機のうちの少なくとも一部の子機は、緊急発報機能を有し、複数の子機のうちの少なくとも一部の子機は、接続要求機能を有する。無線通話方法は、緊急発報機能を有する子機にて、緊急発報の同報送信を行うための緊急発報信号を親機に送信する緊急発報ステップと、親機にて、緊急発報信号を送信した子機以外の子機への緊急発報の同報送信を行う同報通信ステップと、親機にて、緊急発報の同報送信を停止する緊急発報停止ステップと、接続要求機能を有する子機にて、緊急発報を行なった子機に対する接続要求信号を送信する接続要求送信ステップと、親機にて、接続要求信号の受信に応じて、緊急発報を行なった子機を通話可能な状態にするための通話制御信号を送信する通話制御ステップと、緊急発報ステップにて緊急発報を行なった子機にて、通話制御ステップにて送信された通話制御信号の受信に応じて、自動的に接続要求信号を送信した子機との間の通話を可能とする自動通話開始ステップとを含んでいる。
【００５８】
この構成によっても、緊急発報機能を有する子機によって、緊急発報の同報送信が行なわれ、その緊急発報の後に、接続要求機能を有する子機にて、緊急発報者から更なる情報を得たい場合には、そこから接続要求信号を送信することにより、緊急発報者の子機は、自動的に、通話可能な状態になる。したがって、緊急発報が停止した後に更なる情報を得たい他のユーザは、緊急発報者が誰であるかを知らなくても、当該他のユーザの接続要求機能を有する子機から接続要求信号を送信するだけで、緊急発報者の子機と通話できる。また、接続要求信号が送信されると、緊急発報者の子機では、自動的に通話が開始される
ので、緊急発報者において、緊急発報が停止した後に、他の子機との通話を開始するための操作ができない状況にあったとしても、他の子機との通話が可能になる。
【００５９】
本発明のさらに別の態様は、親機と複数の子機とを含み、複数の子機が親機を介して互いに無線通話を行なう無線通話システムの親機における無線通話中継方法である。ここで、複数の子機のうちの少なくとも一部の子機は、緊急発報機能を有し、複数の子機のうちの少なくとも一部の子機は、接続要求機能を有する。無線通話中継方法は、緊急発報機能を有する子機からの緊急発報信号の受信に応じて、緊急発報信号を送信した子機以外の子機への緊急発報の同報送信を行う同報通信ステップと、緊急発報の同報送信を停止する緊急発報停止ステップと、接続要求機能を有する子機からの接続要求信号の受信に応じて、緊急発報を行なった子機を通話可能な状態にするための通話制御信号を送信する通話制御ステップと、緊急発報を行なった子機が通話制御信号の受信に応じて通話可能な状態になった後に、緊急発報を行なった子機からの音声を、緊急発報を行なった子機以外の子機に送信する中継ステップとを含んでいる。
【００６０】
この構成によっても、緊急発報機能を有する子機によって、緊急発報の同報送信が行なわれ、その緊急発報の後に、接続要求機能を有する子機にて、緊急発報者から更なる情報を得たい場合には、そこから接続要求信号を送信することにより、緊急発報者の子機は、自動的に、通話可能な状態になる。したがって、緊急発報が停止した後に更なる情報を得たい他のユーザは、緊急発報者が誰であるかを知らなくても、当該他のユーザの接続要求機能を有する子機から接続要求信号を送信するだけで、緊急発報者の子機と通話できる。また、接続要求信号が送信されると、緊急発報者の子機では、自動的に通話が開始されるので、緊急発報者において、緊急発報が停止した後に、他の子機との通話を開始するための操作ができない状況にあったとしても、他の子機との通話が可能になる。
【００６１】
本発明のさらに別の態様は、プログラムである。このプログラムは、親機が上記の無線通話中継方法を実行するために、親機にて実行される。
【００６２】
本発明のさらに別の態様は、無線通話親機と複数の無線通話子機とを備え、前記複数の無線通話子機が複数の通話チャンネルを使用して前記無線通話親機を介して互いに無線通話を行なう無線通話システムである。ここで、複数の無線通話子機には、専用の通信チャンネルを有する第１の無線通話子機と、前記専用の通信チャンネルとは異なる複数の通信チャンネルを有する第２の無線通話子機とが含まれる。無線通話方法は、１つの第２の無線通話子機は、所定の操作により他の無線通話子機に対して同報通信を行い、かつ、無線通話親機に対して１つの第２の無線通話子機のＩＤ信号を送る第１のステップと、第１の無線通話子機が無線通話親機に対して同報通信を行った第２の無線通話子機との接続を要求する第２のステップと、無線通話親機は、受信した第２の無線通話子機のＩＤ信号に基づいて前記１つの第１の無線通話子機と同報通信を行った第２の無線通話子機との間の通話を可能とする第３のステップとを備えている。
【００６３】
上記の無線通話方法において、第３のステップにて、第１の無線子機と前記１つの第２の無線子機との間の通話には、前記第１の無線子機の専用の通信チャンネル以外の前記複数の通信チャンネルの１つが優先的に使用されてよい。
【００６４】
また、上記の無線通話方法において、第３のステップにて、第１の無線通話子機と１つの第２の無線通話子機との間の通話には、第１の無線通話子機の専用の通信チャンネルが使用されてよい。
【００６５】
本発明のさらに別の態様は、無線通話親機と複数の無線通話子機とを備え、前記複数の無線通話子機が複数の通話チャンネルを使用して無線通話親機を介して互いに無線通話を行なう無線通話システムである。ここで、複数の無線通話子機には、専用の通信チャンネルを有する第１の無線通話子機と、専用の通信チャンネルと異なる複数の通信チャンネルを有する第２の無線通話子機とを含む。無線通話システムにおいて、第２の無線通話子機は、所定の操作により他の無線通話子機に対して同報通信を行い、かつ、無線通話親機に対して前記１つの第２の無線通話子機のＩＤ信号を送り、第２の無線通話子機が同報通信を行った後に、第１の無線通話子機が第２の無線通話子機に対して接続を要求すると、無線通話親機は、受信した第２の無線通話子機のＩＤ信号に基づいて第１の無線通話子機と同報通信を行った第２の無線通話子機との間の通話を可能とする。
【００６６】
上記の無線通話システムにおいて、第１の無線通話子機と１つの第２の無線通話子機との間の通話には、第１の無線通話子機の専用の通信チャンネル以外の複数の通信チャンネルの１つが優先的に使用される。
【００６７】
上記の無線通話システムにおいて、第１の無線通話子機と１つの第２の無線通話子機との間の通話には、第１の無線通話子機の専用の通信チャンネルが使用されてよい。
【００６８】
以下、本発明を実施するための形態について、図面を参照しながら説明する。以下では、本発明の無線通話システムが、飲食店、特に、ドライブスルーを備えたファストフード店で利用される場合を例にとって説明するが、本発明の無線通話システムは、飲食店以外の、例えば、娯楽施設、災害救助現場等の他の状況でも応用され得る。
【００６９】
〔全体構成〕
まず、本発明の第１の実施の形態の無線通話システムの全体の構成について説明する。図２は、本発明の実施の形態における無線通話システムの構成図である。無線通話システム１は、親機１００と複数の子機２００ａ〜２００ｇを含んで構成される。親機１００と各子機２００ａ〜２００ｇとは、無線で音声信号及び各種信号を送受信する。各子機２００ａ〜２００ｇ同士の間の無線通話は、親機１００を介して行なわれる。親機１００は、店内にある子機２００ａ〜２００ｇからの無線電波が届く位置に設置される。親機１００は、例えば、ファストフード店の注文カウンタ付近に設置されてよい。
【００７０】
図２左側に示す４つの子機２００ａ〜２００ｄは、子機本体２００ａ１〜２００ｄ１とヘッドセット２００ａ２〜２００ｄ２からなる携帯型のインカムである。子機本体２００ａ１〜２００ｄ１は、ホルダに入れられてユーザの腰部に装着される。ヘッドセット２００ａ２〜２００ｄ２は、ユーザの頭部に装着可能な構成を有し、イヤホンとマイクを備えている。子機２００ａはマネージャ用子機であり、子機２００ｂはサブマネージャ用子機であり、子機２００ｃはクラーク１用子機であり、子機２００ｄはクラーク２用子機である。
【００７１】
子機２００ｅは、外線電話用子機である。外線電話用子機２００ｅは電話機に接続されている。外線電話用子機２００ｅは、他の子機から受けた音声を電話の相手へ送信するために、当該音声を電話機に入力する。外線電話用子機２００ｅは、電話機が電話の相手から受けた音声を、電話機から取り出して他の子機に送る。なお、外線電話用子機２００ｅは、電話機に組み込まれていてもよい。
【００７２】
子機２００ｆは、キッチン用子機である。他のスタッフ用の子機２００ａ〜２００ｄとは異なり、子機２００ｆは、キッチンの適当な箇所に設置される。これは、キッチンのスタッフがヘッドセットをすることは衛生上好ましくないからである。子機２００ｆは、拡声器とマイクを含む構成を有してもよいし、拡声器を含むがマイクを含まない（音声出力のみの）構成であってもよい。
【００７３】
子機２００ｇは、ドライブスルー用子機である。ドライブスルー用子機２００ｇは、ドライブスルーシステムの一部であり、ドライブスルー利用客が利用できるように、店舗外側のドライブスルー接客（注文）場所に設置される。なお、本実施の形態の説明において、ドライブスルーシステムは、注文確認用ディスプレイ、カメラ、車両センサ等を含んで構成される。
【００７４】
〔子機の構成〕
以下、図３〜図６を参照して、各子機２００ａ〜２００ｇの構成を説明する。以下の説明において、同一の構成については、同一の符号を付して、重複する説明は適宜省略する。
【００７５】
図３は、本発明の実施の形態における子機のヘッドセットの外観図である。マネージャ用子機２００ａ、サブマネージャ用子機２００ｂ、クラーク１用子機２００ｃ、及びクラーク２用子機２００ｄのヘッドセットも同一の構成を有している。以下では、これらを代表してマネージャ用子機２００ａのヘッドセット２００ａ２の構成を説明する。
【００７６】
ヘッドセット２００ａ２は、頭部に装着して用いられる。ヘッドセット２００ａ２は、ホルダバンド３１、ホルダパッド３２、イヤホン３３、マイク３４、操作部３５、及びランプ３６を備えている。
【００７７】
ホルダバンド３１は、頭部に左右方向に掛けられるように、一般的な頭部の形状よりも小さい形状に湾曲した可撓性の部材である。ホルダパッド３２は、ホルダバンド３１の一端に設けられており、頭部に装着された際には、耳の上の頭部に当接される。ホルダバンド３１の他端には、操作部３５が設けられている。操作部３５の先端部には、イヤホン３３及びマイク３４が設けられている。マイク３４は、ヘッドセットが頭部に装着されたときに先端が装着者の口の近くに来るように細長形状であり、かつ変形可能である。マイク３４の先端にはランプ３６が設けられている。
【００７８】
図４は、本発明の実施の形態におけるヘッドセットの操作部の拡大図である。操作部３５には、各種のボタンが設けられている。具体的には、ヘッドセット２００ａ２の操作部３５は、ＰＡＧＥモード通話ボタン３５１、レーン切替えボタン３５２、ＴＡＬＫモード通話ボタン３５３、ボリュームダウンボタン３５４、ボリュームアップボタン３５５、レシーブボタン３５６、緊急発報ボタン３５７を備えている。
【００７９】
ＰＡＧＥモード通話ボタン３５１はＰＡＧＥモードの通話をオン／オフするためのボタンである。無線通話システムが複数の系（レーン）に分かれている場合に、レーン切替えボタン３５２を押すと、それらの系を切り替えるためのボタンである。ＴＡＬＫモード通話ボタン３５３は、ＴＡＬＫモードの通話をオン／オフするためのボタンである。ボリュームダウンボタン３５４を押すと、イヤホンの音量を下がり、ボリュームアップボタン３５５を押すと、イヤホンの音量が上がる。レシーブボタン３５６を押すと、かかってきた外線電話に出ることができる。緊急発報ボタン３５７を押すと、後述する緊急発報信号が親機に送信される。
【００８０】
図５は、本発明の実施の形態におけるマネージャ用子機等の構成を示す図である。なお
、サブマネージャ用子機２００ｂ、クラーク１用子機２００ｃ、及びクラーク２用子機２００ｄも同一の構成を有している。マネージャ用子機２００ａは、送受信部５１、操作部５２、報知部５３、制御部５４、検出部５５、記憶部５６、音声出力部５７、音声入力部５８を備えている。
【００８１】
送受信部５１は、親機１００との間で、音声信号及び各種の制御信号の送受信を行なう。特に、送受信部５１は、親機１００に対して、後述する緊急発報信号、接続要求信号、応答信号、拡声器制御信号を送信し、親機１００から送信されてきた後述する通話制御信号、緊急発報報知信号を受信する。操作部５２は、図３及び図４にて説明したヘッドセット２００ａ２の操作部３５に相当する。報知部５３は、図３にて説明したヘッドセット２００ａ２のランプ３６に相当し、発光することによりユーザの視覚に訴えて報知をする。なお、報知部５３は、音声出力部５７に報知音を出力させることにより、ユーザの聴覚に訴えるものであってもよく、ユーザの触覚に訴えるバイブレータであってもよい。この報知部５３は、本発明の「緊急発報報知部」に相当する。
【００８２】
検出部５５は、送受信部５１により受信した信号を検出する。上述のように、送受信部５１では、音声信号だけでなく、各種の制御信号、例えば、後述する通話制御信号、緊急発報報知信号等を受信するので、検出部５５では、これらの信号を検出する。記憶部５６は、自己の子機ＩＤを記憶する。各子機２００ａ〜２００ｇには、各々異なる子機ＩＤが割り当てられている。
【００８３】
音声出力部５７は、図３にて説明したヘッドセット２００ａ２のイヤホン３３に相当し、送受信部５１にて受信した音声信号を音声として出力する。音声入力部５８は、図３にて説明したヘッドセット２００ａ２のマイク３４に相当し、音波（ユーザの声）を音声信号に変換する。制御部５４は、上記の各部に対して各種の制御を行う。制御部５４によって制御されることによるマネージャ用子機２００ａの動作については後述する。
【００８４】
図６は、本発明の実施の形態におけるキッチン用子機等の構成を示す図である。キッチン用子機２００ｆは、報知部を備えていない点を除いて、マネージャ用子機２００ａと同様の構成を有する。即ち、キッチン用子機２００ｆは、送受信部５１、操作部５２、制御部５４、検出部５５、記憶部５６、音声出力部５７、音声入力部５８を備えている。なお、操作部５２としては、図４で説明したＰＡＧＥモード通話ボタン３５１、レーン切替えボタン３５２、ＴＡＬＫモード通話ボタン３５３、ボリュームダウンボタン３５４、ボリュームアップボタン３５５、レシーブボタン３５６、緊急発報ボタン３５７に相当するボタンが設けられる。また、音声出力部５７は、拡声器である。
【００８５】
図２に示す外線電話用子機２００ｅは、図６に示すキッチン用子機２００ｆの構成と同じ構成を有する。外線電話用子機２００ｅの音声出力部５７は、電話回線に音声信号を出力するものであり、音声入力部５８は電話回線から音声信号を入力するものである。また、操作部５２としては、ボリュームダウンボタン３５４、ボリュームアップボタン３５５、レシーブボタン３５６、及びその他の電話機として必要なボタンを有するが、ＰＡＧＥモード通話ボタン３５１、レーン切替えボタン３５２、ＴＡＬＫモード通話ボタン３５３、緊急発報ボタン３５７は備えていない。
【００８６】
図２に示すドライブスルー用子機２００ｇは、図６に示すキッチン用子機２００ｆの構成と同じ構成を有する。ドライブスルー用子機２００ｇの音声出力部５７は、ドライブスルー利用客に向けて音声を出力する拡声器であり、音声入力部５８は、ドライブスルー利用客の声を音声信号に変換するマイクである。また、操作部５２としては、ボリュームダウンボタン３５４、ボリュームアップボタン３５５、及びその他のドライブスルー用子機として各種の設定を行なうのに必要なボタンを有するが、ＰＡＧＥモード通話ボタン３５
１、レーン切替えボタン３５２、ＴＡＬＫモード通話ボタン３５３、レシーブボタン３５６、緊急発報ボタン３５７は備えていない。
【００８７】
〔親機の構成〕
図７は、本発明の実施の形態における親機の構成を示す図である。親機１００は、送受信部７１、操作部７２、制御部７３、検出部７４、及び記憶部７５を備えている。送受信部７１は、各子機との間で、音声信号及び各種の制御信号の送受信を行なう。送受信部７１は、特に、ＰＡＧＥモード及びＴＡＬＫモードの通話においては、送話側の子機から送信されてきた音声信号を受話側の子機に送信し、緊急発報時には、子機から、後述する緊急発報信号、接続要求信号、応答信号、拡声器制御信号等を受信し、特定の子機に対して、後述する警報音の音声信号、通話制御信号、緊急発報報知信号等を送信する。
【００８８】
図７において、操作部７２は、各種の設定を行なうために用いられるボタン、スイッチ等である。検出部７４は、送受信部７１により受信した信号を検出する。上述のように、送受信部７１では、音声信号だけでなく、各種の制御信号、例えば、後述する緊急発報信号、接続要求信号、応答信号、拡声器制御信号等を受信するので、検出部７4では、これらの信号を検出する。記憶部７５は、図８〜１０に示す拡声ルーティングテーブルや後述する警報音の音声信号を記憶しており、必要に応じて緊急発報子機の子機ＩＤ、接続要求子機の子機ＩＤを記憶する。制御部７３は、上記の各部に対して各種の制御を行う。制御部７３によって制御されることによる親機１００の動作については後述する。
【００８９】
以下、図２における子機２００ａ〜２００ｇ及び親機１００の動作について説明する。子機２００ａ〜２００ｇの動作は、図５に示す制御部５４が各部からの信号を受けて、所定のプログラムに従って各部を制御することによって実現され、図７に示す親機１００の動作は、制御部７３が各部からの信号を受けて、所定のプログラムに従って各部を制御することによって実現される。以下では、ＴＡＬＫモード及びＰＡＧＥモードにおける通話を行なう際の動作について説明し、その後、緊急発報の動作を説明する。上述のように、ＴＡＬＫモードとＰＡＧＥモードとは、ドライブスルー用子機２００ｇの音声出力部５７から音声を出力するかしないかという違いのみであるので、後に説明する「緊急発報」と区別するために、両者を合わせて「通常モード」という。
【００９０】
〔通常モード〕
通常モードでは、送話トリガが発生した状態で送話が可能になる。図２及び図５を参照して、送話トリガとは、マネージャ用子機２００ａ、サブマネージャ用子機２００ｂ、クラーク１用子機２００ｃ、クラーク２用子機２００ｄ、及びキッチン用子機２００ｆについては、ＰＡＧＥモード通話ボタン３５１又はＴＡＬＫモード通話ボタン３５３がオンになることであり、外線電話用子機２００ｅについては、外線電話を受けることであり、ドライブスルー用子機２００ｇについては、ドライブスルーシステムの車両センサから車両を検知したことを示す信号を受けることである。
【００９１】
マネージャ用子機２００ａ、サブマネージャ用子機２００ｂ、クラーク１用子機２００ｃ、クラーク２用子機２００ｄ、及びキッチン用子機２００ｆについてさらに説明すると、ＰＡＧＥモード通話ボタン３５１とＴＡＬＫモード通話ボタン３５３は、ユーザが手で押下しているときだけオンの状態を保ち、ユーザが手を離すとオフになるよう構成されてもよいし、ユーザが一度操作するとオンの状態になり、ユーザがオフにする操作をするまでオンの状態を維持するよう構成されてもよい。
【００９２】
ＰＡＧＥモード通話ボタン３５１及びＴＡＬＫモード通話ボタン３５３は、制御部５４に対して、オンの状態であることを示す信号を出力する。制御部５４は、ＰＡＧＥモード通話ボタン３５１及びＴＡＬＫモード通話ボタン３５３のいずれかがオンであるときに送話のための制御を行う。即ち、制御部５４は、ＰＡＧＥモード通話ボタン３５１及びＴＡＬＫモード通話ボタン３５３のいずれかがオンであるときに、音声入力部５８から出力された音声信号の入力を受信して、この音声信号を送受信部５１によって親機１００に送信する。なお、この音声信号には、制御信号として、記憶部５６に記憶された通話モード（ＰＡＧＥモード又はＴＡＬＫモード）のステータス、レーンの種類、及び子機ＩＤの情報を含む制御信号が付加される。
【００９３】
親機１００では、送受信部７１にて音声信号及び制御信号を受信して、制御部７３に出力する。制御部７３は、制御信号に含まれる子機ＩＤから、その音声信号を送信した子機を特定し、記憶部７５に記憶された拡声ルーティングテーブルに従って、他の子機に、受信した音声信号を送信する。
【００９４】
図８は、本発明の実施の形態におけるＴＡＬＫモードの拡声ルーティングテーブルを示す図であり、図９は、本発明の実施の形態におけるＰＡＧＥモードの拡声ルーティングテーブルを示す図である。拡声ルーティングテーブルは、送話側の各子機が、いずれの受話側子機に対して送話可能であるかを規定している。いずれの送話側子機がいずれの受話側子機に対して送話可能であるかは、送話側及び受話側の子機の属性に応じて異なる。即ち、親機１００は、子機の属性に応じて、いずれの送話側子機がいずれの受話側子機に対して送話可能であるかを管理している。子機の属性は、制御信号に含まれる送話側子機の子機ＩＤに基づいて判断する。
【００９５】
図８、９を参照して、親機について、「○」は送話側子機から送られてきた音声信号を優先的に受話側子機に送信することを意味し、「×」は送話側子機から送られてきた音声信号を受話側子機に送信しないことを意味し、「−」は自らの音声信号を出力しない、又は受話側子機に音声出力機能を有しない（即ち、送話側子機から送られてきた音声信号を受話側子機にて出力しない）ことを意味し、「○／×」は送信可能であるが、後に他の通話が開始されたときに他の通話に通信チャンネルを明け渡すことにより通話が切断される可能性があることを意味する。
【００９６】
図８に示すように、ＴＡＬＫモードでは、ＴＡＬＫモード通話ボタン３５３がオンの状態でマネージャ用子機２００ａ（ＭＧ）、サブマネージャ用子機２００ｂ（ＳＭＧ）、クラーク１用子機２００ｃ（ＣＬ１）、及びクラーク２用子機２００ｄ（ＣＬ２）から送信された音声信号を、外線電話用子機２００ｅ（ＴＥＬ）、及びキッチン用子機２００ｆ（ＫＴＮ）に送信する。外線電話用子機２００ｅ（ＴＥＬ）で外線電話を受けた状態で送信された音声信号は、外線電話用子機２００ｅ（ＴＥＬ）及びドライブスルー用子機２００ｇ（ＤＲＴ）以外の子機に送信される。
【００９７】
キッチン用子機２００ｆ（ＫＴＮ）からＴＡＬＫモード通話ボタン３５３がオンの状態で送信された音声信号は、外線電話用子機２００ｅ（ＴＥＬ）に送信される。車両センサが車両を検知した状態でドライブスルー用子機２００ｇ（ＤＲＴ）から送信された音声信号は、キッチン用子機２００ｆ（ＫＴＮ）及びドライブスルー用子機２００ｇ（ＤＲＴ）以外に送信される。
【００９８】
図９に示すように、ＰＡＧＥモードでは、マネージャ用子機２００ａ（ＭＧ）から送信された音声信号は、サブマネージャ用子機２００ｂ（ＳＭＧ）、クラーク１用子機２００ｃ（ＣＬ１）、クラーク２用子機（ＣＬ２）、及びキッチン用子機２００ｆ（ＫＴＮ）に送信される。また、サブマネージャ用子機２００ｂ（ＳＭＧ）から送信された音声信号は、マネージャ用子機２００ａ（ＭＧ）、クラーク１用子機２００ｃ（ＣＬ１）、クラーク２用子機（ＣＬ２）、及びキッチン用子機２００ｆ（ＫＴＮ）に送信される。マネージャ用子機２００ａ及びサブマネージャ用子機２００ｂは、マネージャ設定子機であるので、これらからの音声信号は、通信チャンネルを優先的に確保した上で送信される。
【００９９】
ＰＡＧＥモードにおいて、クラーク１用子機２００ｃ（ＣＬ１）及びクラーク２用子機２００ｄ（ＣＬ２）から送られてきた音声信号は、外線電話用子機２００ｅ（ＴＥＬ）及びキッチン用子機２００ｆ（ＫＴＮ）に出力される。また、外線電話を受けた場合には、外線電話用子機２００ｅ（ＴＥＬ）から送信された音声信号は、クラーク１用子機２００ｃ（ＣＬ１）、クラーク２用子機２００ｄ（ＣＬ２）、及びキッチン用子機２００ｆ（ＫＴＮ）に送信される。但し、これらの通話は、上述のように、他の通話に通信チャンネルが使用されることにより、切断される可能性がある。即ち、本実施の形態では、ＰＡＧＥモードにおいて、特定の子機について優先的に通信チャンネルを割り当て、その他の子機については優先的な通信チャンネルの割り当てを行わないようにしている。
【０１００】
さらに、キッチン用子機２００ｆ（ＫＴＮ）からは、ＰＡＧＥモード通話ボタン３５１をオンにして送話することで、その音声信号は、クラーク１用子機２００ｃ（ＣＬ１）、クラーク２用子機２００ｄ（ＣＬ２）、及び外線電話用子機２００ｅ（ＴＥＬ）に送信される。また、ドライブスルーシステムの車両センサが車両を検知することで、ドライブスルー用子機２００ｇ（ＤＲＴ）から送信された音声信号は、クラーク１用子機２００ｃ（ＣＬ１）、クラーク２用子機２００ｄ（ＣＬ２）、及びキッチン用子機２００ｆ（ＫＴＮ）に送信される。なお、これらの通話も、上述のように、他の通話に通信チャンネルが使用されることにより、切断される可能性がある。
【０１０１】
以上のように、本実施の形態の無線通話システム１は、親機１００が通話モードに応じて拡声ルーティングテーブルを選択し、選択した拡声ルーティングテーブルに従って、子機の属性に応じて音声信号を送信する子機を決定する。
【０１０２】
また、図７に示す制御部７３は、制御信号に含まれる子機ＩＤに基づいて、記憶部７５に記憶された子機属性を参照して、その音声信号及び制御信号を送信する子機が一般設定子機であるかマネージャ設定子機であるかを判断し、判断結果に応じて、無線通話システム１が利用する４つの通信チャンネル（４種類の周波数）のうちのいずれかを使用して信号の送受信を行なう。具体的には、制御部７３は、音声信号及び制御信号を送信する子機が、マネージャ設定子機である場合は、４チャンネルのうちのマネージャ専用に確保された通信チャンネルを利用して信号の送受信を行なう。なお、音声信号を送信する子機がマネージャ設定子機であるが、マネージャ専用の通信チャンネルがすでに占有されている場合は、他の３つの通信チャンネルのいずれかを利用する。
【０１０３】
また、制御部７３は、音声信号及び制御信号を送信する子機が一般設定子機である場合は、４つの通信チャンネルのうちの一般設定子機に割り当てられた３つの通信チャンネルのうちの未利用の通信チャンネルのいずれかを利用して信号の送受信を行なう。すでに一般設定子機に割り当てられた３つの通信チャンネルのすべてが利用されているときは、最初に通話を開始した他の子機の通信チャンネルの通話を終了させて、その通信チャンネルを利用する。
【０１０４】
〔緊急発報〕
次に、緊急発報の場合の子機２００ａ〜２００ｇ及び親機１００の動作を説明する。まず、第１の実施の形態を説明する。第１の実施の形態の緊急発報に対しては、種々の技術を付加し、又は変形をすることができる。以下では、付加例及び変形例を他の実施の形態として説明する。
【０１０５】
〈第１の実施の形態〉
緊急発報は、緊急発報ボタン３５７を備え、緊急発報機能を備えた子機（マネージャ用子機２００ａ、サブマネージャ用子機２００ｂ、クラーク１用子機２００ｃ、クラーク２用子機２００ｄ、及びキッチン用子機２００ｆ）における緊急発報操作、即ち緊急発報ボタン３５７の押下によって開始される。
【０１０６】
図１０は、本発明の第１の実施の形態における緊急発報の動作を示す図である。図１０では、例としてクラーク１用子機２００ｃが緊急発報を行う場合を示している。緊急発報機能を有する子機であるクラーク１用子機２００ｃにおいて、緊急発報ボタン３５７が押下されると（緊急発報操作）、図５を参照して、制御部５４は、送受信部５１によって親機１００に緊急発報信号を送信する（ステップＳ１１）。このとき、緊急発報をする子機（以下、「緊急発報子機」という。）は、緊急発報信号とともに、送受信部５１から自らの子機ＩＤを親機１００に送信する。緊急発報子機におけるこの緊急発報信号を送信するための構成は、本発明の「緊急発報部」に相当する。
【０１０７】
図７を参照して、親機１００は、送受信部７１にて緊急発報信号を受信し、送受信部７１は、これを制御部７３に出力する。制御部７３は、検出部７４が緊急発報信号を受けると、記憶部７５に記憶された緊急発報の拡声ルーティングテーブルに従って、対応する子機に、記憶部７５に記憶された警報音としてビープ音の音声信号を同報送信する（ステップＳ１２）。また、後の接続要求に応えるため、緊急発報子機の子機ＩＤを記憶部７５に記憶する。親機１００におけるこの同報送信のための構成は、本発明の「同報通信部」に相当する。
【０１０８】
この緊急発報の同報送信において、親機１００は、一般設定子機に割り当てられている３つの通信チャンネルのうちの１つを優先的に用いて緊急発報の同報送信を行なう。即ち、３つの通信チャンネルがすべて他の一般設定子機により占有されている場合には、そのうちの最初に開始された通話を強制的に終了して、その通信チャンネルを緊急発報の同報送信に割り当て、緊急発報の同報送信の最中に他の一般設定子機による通話が行なわれる場合にも、緊急発報に用いている通信チャンネルは明け渡すことなく、緊急発報の同報送信を継続する。
【０１０９】
ここで、図１１は、本発明の実施の形態における緊急発報の拡声ルーティングテーブルを示す図である。図１１においても、図８及び図９と同様に、「○」は送話側子機から送られてきた音声信号を優先的に受話側子機に送信することを意味し、「×」は送話側子機から送られてきた音声信号を受話側子機に送信しないことを意味し、「−」は自らの音声信号を出力しない、又は受話側子機に音声出力機能を有しない（即ち、送話側子機から送られてきた音声信号を受話側子機にて出力しない）ことを意味する。
【０１１０】
図１０に示すように、緊急発報は、緊急発報機能を備えたマネージャ用子機２００ａ、サブマネージャ用子機２００ｂ、クラーク１用子機２００ｃ、クラーク２用子機２００ｄ、キッチン用子機２００ｆから行なうことができる。そして、緊急発報は、上記の緊急発報機能を有する子機のうちの緊急発報子機以外の子機が受信することになる。なお、後述するように、緊急発報は、親機１００から、親機１００に有線又は無線で接続された店内拡声器に送信されて、店内拡声器からも出力されてよい。
【０１１１】
図１０に戻って、ステップＳ１２で緊急発報信号を受信した親機１００は、緊急発報（警報音の音声信号の送信）を継続する。警報音の音声信号を受信した子機では、警報音が音声出力部５７から出力される。緊急発報がされている状態、即ち警報音の音声信号が親機１００から送信され続けている状態で、緊急発報者（図１０の例では、クラーク１）が緊急発報ボタン３５７を再度押下すると（緊急発報停止操作）、緊急発報子機であるクラーク１用子機２００ｃから親機１００に緊急発報停止信号が送信され（ステップＳ１３）、警報音の音声信号の同報送信が停止される（ステップＳ１４）。このように、クラーク
１は、緊急事態が収拾したときに、緊急発報ボタン３５７を押下して親機１００による同報送信を停止させることができる。
【０１１２】
ここまでの動作により、緊急発報を受けたその他のスタッフは、どこかで緊急事態が発生したことを知ることができる。しかしながら、他のスタッフは、緊急発報が停止された後に、緊急事態が収拾したか否か、発生した緊急事態が現在どのような状態になっているのかを知ることができない。そこで、他のスタッフは、緊急発報が停止した後に、接続要求をすることができる。具体的には、緊急発報子機以外の子機にて、ＰＡＧＥモード通話ボタン３５１及び緊急発報ボタン３５７を同時に長押し（例えば、２秒間）することによって（接続要求操作）、接続要求をすることができる（以下、接続要求をする子機を「接続要求子機」という。）。子機におけるこの接続要求をするための構成は、本発明の「接続要求部」に相当する。
【０１１３】
図１０は、マネージャ用子機２００ａが接続要求を行なう例をも示している。接続要求機能を持ったマネージャ子機である接続要求子機にて接続要求操作が行なわれると、制御部５４は、送受信部５１を制御して接続要求信号を親機１００に送信する（ステップＳ１５）。
【０１１４】
親機１００は、送受信部７１が接続要求信号を受信すると、記憶部７５に記憶された、緊急発報子機の子機ＩＤを参照して、緊急発報子機を特定し、その緊急発報子機（図１０の例では、クラーク１用子機２００ｃ）に対して、送受信部７１を制御して通話制御信号を送信する（ステップＳ１６）。この通話制御信号は、緊急発報子機からの音声信号を、接続要求子機（図１０の例では、マネージャ用子機２００ａ）に送信するよう、緊急発報子機を制御するための信号である。親機１００におけるこの通話制御信号を送信するための構成は、本発明の「通話制御部」に相当する。
【０１１５】
緊急発報子機であるクラーク１用子機２００ｃは、送受信部５１が通話制御信号を受信すると、制御部５４の制御によって、音声入力部５８にて生成された音声信号を、送受信部５１を介して親機１００に送信し（ステップＳ１７）、親機１００は、これを、接続要求子機であるマネージャ用子機２００ａに送信する（ステップＳ１８）。子機において通話制御信号の受信に応じて通話を開始する上記の構成は、本発明の「自動通話開始部」に相当する。マネージャ子機２００ａでは、送受信部５１が通話制御信号を受信することにより、自動通話開始部２１２が作動する。これにより、クラーク１用子機２００ｃとマネージャ子機２００ａとが通話可能な状態となる。この通話可能な状態とは、音声の送受信が可能な状態である。尚、この通話は、通常、専用の通信チャンネル以外の通信チャンネルを優先的に利用するモードであるが、ユーザの装置操作により、専用の通信チャンネルを利用するモードに切替えることができる。前記専用の通信チャンネルは、前記子機のみが利用することでき、他の子機は利用することができない通信チャンネルである。
【０１１６】
図１は、本発明の第１の実施の形態における緊急発報の動作を説明するための無線通話システムの構成を示す図である。図１では、本実施の形態に関係する構成のみを図示している。
【０１１７】
緊急発報子機２１０にてユーザによる緊急発報操作が行われると、それに応じて、緊急発報部２１１は親機１００に緊急発報信号を送信する。親機１００にて緊急発報信号を受信すると、それに応じて、同報通信部１１０が緊急発報子機以外の子機に警報音を同報送信する。また、緊急発報子機２１０にてユーザによる緊急発報の停止操作が行われると、それに応じて、緊急発報部２１１は親機１００に緊急発報停止信号を送信する。子機１００にて緊急発報停止信号を受信すると、それに応じて、同報通信部１１０が警報音の同報送信を停止する。
【０１１８】
接続要求子機２２０にて接続要求操作が行われると、それに応じて、接続要求部２２１は親機１００に接続要求信号を送信する。親機１００にて接続要求信号を受信すると、それに応じて、通話制御部１２０は緊急発報子機２１０に通話制御信号を送信する。緊急発報子機２１０にて通話制御信号を受信すると、それに応じて、自動通話開始部２１２は、接続要求子機２２０との１対１の相互通話を開始する。
【０１１９】
以上のように、本実施の形態の無線通話システム１では、緊急発報子機は、緊急発報信号とともに、自らの子機ＩＤを親機１００に送信し、親機１００は、この緊急発報子機の子機ＩＤを記憶しておくので、緊急発報が停止した後に、他の子機からの接続要求に応じて、緊急発報子機に通話制御信号を送信して緊急発報子機と接続要求子機との通話を開始することができる。このとき、接続要求子機では、緊急発報子機がどの子機であるかを認識していなくても、接続要求操作をするだけで、自動的に（親機の動作によって）緊急発報子機との通話が可能になる。また、緊急発報子機では、仮に緊急事態が発生して緊急発報をした後に誤操作によって緊急発報を停止してしまい、かつ（慌てているなどの原因により）再度の緊急発報ができないとしても、自動的に（接続要求子機及び親機の動作によって）接続要求子機との通話が開始するので、収拾していない緊急事態について、接続要求子機との間でコミュニケーションを取ることが可能になる。
【０１２０】
なお、上記の説明では、緊急発報者であるクラーク１が緊急発報停止操作を行なうことにより緊急発報が停止されたが、緊急発報の同報送信は、一定期間（例えば、３分間）緊急発報[発砲]停止操作が行なわれない場合に、自動的に停止されてよく、又は、緊急発報停止操作が行なわれるまで（即ち、親機１００が緊急発報停止信号を受信するまで）緊急発報の同報送信を継続させてもよい。
【０１２１】
〈第２の実施の形態〉
図１２は、本発明の第２の実施の形態における緊急発報の動作を示す図である。第１の実施の形態と同一の動作については、同じステップ符号を付してその詳細な説明は省略する（以下の実施の形態でも同様とする）。尚、本実施の形態の全体システムの概略構成は、図２、図５、図６及び図７に示す第１の実施の形態の構成と同様である。緊急発報機能を有する子機（図１２の例では、クラーク１用子機２００ｃ）にて緊急発報操作が行なわれて、親機１００に対して緊急発報信号が送信されると（ステップＳ１１）、親機１００は、図１１に示す緊急発報の拡声ルーティングテーブルに従って警報音の音声信号とともに、緊急発報報知信号を同報送信する（ステップＳ１２）。
【０１２２】
図１２の例では、マネージャ用子機２００ａは、緊急発報がされている間には、親機１００の電波圏外におり、親機１００からの警報音の音声信号を受信できないとする。警報音の音声信号及び緊急発報報知信号を受信した子機では、制御部５４が、警報音の音声信号を音声出力部５７から出力するとともに、受信した緊急発報報知信号に基づいて、緊急発報を受信したことを示すよう、ランプ３６を点灯させる。その後、親機１００が緊急発報停止信号を受信すると（ステップＳ１３）、親機１００は、警報音の音声信号の同報通信を停止する（ステップＳ１４）。しかし、親機１００は、警報音の音声信号の同報通信が停止した後にも、一定期間（例えば、５分間）は、緊急発報報知信号の送信を継続する。
【０１２３】
図１２の例では、警報音の音声信号の同報通信が停止した後であるが、緊急発報報知信号がまだ送信されている段階で、マネージャ用子機２００ａが、親機１００の電波圏内に戻り（ステップＳ１１１）、親機１００から送信された信号を受信できる状態になる。このとき、マネージャ用子機２００ａは、緊急発報報知信号のみを受信することになる（ステップＳ１１２）。なお、他の子機においても、同様に緊急発報報知信号のみを受信する。そして、子機において、緊急発報報知信号のみを受信し、それに伴う警報音の音声信号を受信しない場合には、制御部５４は、ランプ３６を点滅させる。即ち、警報音の音声信号とともに緊急発報報知信号を受信しているときはランプ３６を点灯させ、その後に緊急
発報報知信号のみを受信するようになるとランプ３６を点滅させる。
【０１２４】
親機１００の電波圏内に戻って、ランプ３６の点滅を確認したマネージャは、接続要求操作を行なうことにより、接続要求信号を親機１００に送信することができる（ステップＳ１５）。その後の処理は第１の実施の形態と同様である。
【０１２５】
図１３は、本発明の第２の実施の形態における緊急発報の動作を説明するための無線通話システムの構成を示す図である。図１３では、本実施の形態に関係する構成のみを図示している。
【０１２６】
緊急発報子機２１０にてユーザによる緊急発報操作が行われると、それに応じて、緊急発報部２１１は親機１００に緊急発報信号を送信する。子機１００にて緊急発報信号を受信すると、それに応じて、同報通信部１１０が緊急発報子機以外の子機に警報音及び緊急発報報知信号を同報送信する。緊急発報子機２１０の子機では、緊急発報報知信号を受信すると、緊急発報報知部２２２にて、緊急発報の報知が行なわれる。具体的には、ランプ３６が点灯する。また、緊急発報子機２１０にてユーザによる緊急発報停止操作が行われると、それに応じて、緊急発報部２１１は親機１００に緊急発報停止信号を送信する。子機１００にて緊急発報停止信号を受信すると、それに応じて、同報通信部１１０が警報音の同報送信を停止するが、緊急発報報知信号の同報送信は継続する。このときには、緊急発報報知部２２２は、緊急発報報知信号の受信に応じて、ランプ３６を点滅させる。
【０１２７】
緊急発報報知信号を受信した接続要求子機２２０にて接続要求操作が行われると、それに応じて、接続要求部２２１は親機１００に接続要求信号を送信する。親機１００にて接続要求信号を受信すると、それに応じて、通話制御部１２０は緊急発報子機２１０に通話制御信号を送信する。緊急発報子機２１０にて通話制御信号を受信すると、それに応じて、自動通話開始部２１２は、接続要求子機２２０との１対１の相互通話を開始する。
【０１２８】
本実施の形態の緊急発報の動作によれば、ある子機において、緊急発報の同報送信がされている間に、電波圏外にいた、電源が入っていなかった等の理由により、緊急発報の同報送信を受信できなかった場合にも、その後に電波圏内に入った場合には、緊急発報報知信号を受信することができ、それによって上述のように子機のランプ３６が点灯又は点滅しているのでので、緊急事態が発生したこと、又は緊急発報があったことを知ることができ、接続要求操作を行なうことで緊急発報子機と通話して、状況を確認できる。
【０１２９】
〈第３の実施の形態〉
図１４は、本発明の第３の実施の形態における緊急発報の動作を示す図である。なお、本実施の形態の全体システムの概略構成は、図２、図５、図６及び図７に示す実施の形態１と同様である。第１の実施の形態では、緊急発報者が緊急発報停止操作を行なうことにより、緊急発報子機から親機１００に対して緊急発報停止信号を送信し、親機１００にて緊急発報の同報送信を停止した。本実施の形態では、緊急発報の同報送信を受信したユーザが、応答操作を行なうことにより緊急発報を停止する。
【０１３０】
図１４は、サブマネージャが応答操作を行なった例を示している。具体的には、緊急発報の同報送信を受信した子機にて、レシーブボタン３５６が押下されると（応答操作）、制御部５４は、送受信部５１を制御して親機１００に応答信号を送信する（ステップＳ１２３）。子機におけるこの応答信号を送信するための構成は、本発明の「応答部」に相当する。また、応答信号を送信する子機を「応答子機」という。
【０１３１】
親機１００は、応答信号を受信すると、これに応じて緊急発報の同報送信を停止する（ステップＳ１４）。その他の動作は第１の実施の形態と同様である。
【０１３２】
図１５は、本発明の第３の実施の形態における緊急発報の動作を説明するための無線通話システムの構成を示す図である。図１５では、本実施の形態に関係する構成のみを図示している。
【０１３３】
緊急発報子機２１０にてユーザによる緊急発報操作が行われると、それに応じて、緊急発報部２１１は親機１００に緊急発報信号を送信する。子機１００にて緊急発報信号を受信すると、それに応じて、同報通信部１１０が緊急発報子機以外の子機に警報音を同報送信する。
【０１３４】
警報音を受信した応答子機２３０にて応答操作が行われると、それに応じて、応答部２３１は親機１００に応答信号を送信する。親機１００にて応答信号を受信すると、それに応じて、同報通信部１１０は警報音の同報通信を停止する。
【０１３５】
本実施の形態によれば、緊急発報者以外のユーザが緊急発報を停止できるので、誤って緊急発報操作を行なったユーザ（緊急発報者）が不慣れである等の理由により誤発報に慌てて緊急発報停止操作ができない場合に、他のユーザがその緊急発報者の代わりに緊急発報を停止してあげることができる。また、緊急発報者は、自ら緊急発報停止操作していないのに緊急発報が停止することで、他の者が応答したこと、即ち、緊急発報を認知したことを確認できる。
【０１３６】
〈第４の実施の形態〉
図１６は、本発明の第４の実施の形態における緊急発報の動作を示す図である。なお、本実施の形態の全体システムの概略構成は、図２、図５、図６及び図７に示す実施の形態１と同様である。第３の実施の形態では、緊急発報者以外のユーザによって緊急発報が停止された後に、接続要求がされると、接続要求子機と緊急発報子機との通話が開始された（図１４のステップＳ１６〜Ｓ１８）。本実施の形態では、緊急発報者以外のユーザによって緊急発報が停止された場合には、接続要求子機と当該緊急発報を停止した子機との間の通話を開始する。
【０１３７】
このために、本実施の形態では、緊急発報停止信号を送信する子機は、緊急発報停止信号とともに、自己の子機ＩＤを親機１００に送信し（ステップＳ１３３）、親機１００は、この子機ＩＤを記憶する。親機１００は、接続要求子機から接続要求信号を受信すると、緊急発報停止信号を送信してきた子機の子機ＩＤを参照して、その子機に対して、通話制御信号を送信する（ステップＳ１３６）。通話制御信号を受信したその子機（即ち、緊急発報を停止した子機）の制御部５４は、その通話制御信号の受信に応じて、接続要求子機との通話を開始する（ステップＳ１３７、Ｓ１３８）。本実施の形態によれば、接続要求子機は、緊急発報の同報送信を停止した子機と通話をすることができ、緊急事態の状態を確認できる。
【０１３８】
〈第５の実施の形態〉
図１７及び図１８は、本発明の第５の実施の形態における緊急発報の動作を示す図である。なお、本実施の形態の全体システムの概略構成は、図、２図５、図６及び図７に示す実施の形態１と同様である。本実施の形態では、親機１００は、緊急発報子機から緊急発報信号を受信すると、拡声器から音声信号を出力するドライブスルー用子機２００ｇ及びその他の店内に設置された拡声器にも警報音の音声信号を送信することができる。このとき、親機１００は、ドライブスルー用子機２００ｇには無線通信によって警報音の音声信号を送信し、その他の拡声器には有線通信によって警報音の音声信号を送信してよい。また、図示はしていないが、さらに外線電話用子機２００ｅに対して警報音の音声信号を送信し、外線電話用子子機２００ｅから外線電話で外部（例えば、警備会社）に警報音の音声信号を送信するようにしてもよい。本実施の形態では、特に、このような外部の者への警報音の音声信号の送信をするか否かの初期設定を切り替えることができ、かつ、緊急発報がされている最中にも外部の者への警報音の音声信号の送信をするか否かを切り替えることができる。
【０１３９】
図１７は、初期設定としてドライブスルー用子機２００ｇ及び店内拡声器に警報音の音声信号を送信しないよう設定されている場合において、緊急発報があった場合に、これをドライブスルー用子機２００ｇ及び店内拡声器にも警報音の音声信号を送信してそれらにおいて出力する場合の動作を示している。親機１００は、緊急発報信号を受信すると、初期設定に従って、第１の実施の形態と同様に、マネージャ用子機２００ａ、サブマネージャ用子機２００ｂ、クラーク１用子機２００ｃ、クラーク２用子機２００ｄ、及びキッチン用子機２００ｆに同報通信によって警報音の音声信号を送信し、ドライブスルー用子機２００ｇ及び店内拡声器には警報音の音声信号を送信しない。
【０１４０】
この警報音の音声信号を受けた子機において、この警報音をドライブスルー用子機２００ｇ及び店内拡声器においても出力する必要があると認めたユーザ（図１７の例では、サブマネージャ）は、自己の子機において、レシーブボタン３５６と緊急発報ボタン３５７を同時に長押し（例えば、２秒間）する（拡声器制御操作）。この拡声器制御操作により、子機の制御部５４は、送受信部５１を制御して、親機１００に対して拡声器制御信号を送信する（ステップＳ１４１）。この拡声器制御信号を送信する子機を「拡声器制御子機」という。
【０１４１】
拡声器制御信号を受信した親機１００は、この拡声器制御信号の受信に応じて、警報音の音声信号をドライブスルー用子機２００ｇ及び店内拡声器に送信する（ステップＳ１４２）。ドライブスルー用子機２００ｇ及び店内拡声器は、親機１００から警報音の音声信号を受けて拡声器から出力する。その後の処理は第１の実施の形態と同じである。
【０１４２】
図１８は、初期設定としてドライブスルー用子機２００ｇ及び店内拡声器に警報音の音声信号を送信するよう設定されている場合において、緊急発報があった場合に、これをドライブスルー用子機２００ｇ及び店内拡声器に警報音の音声信号を送信しないようにする場合の動作を示している。親機１００は、緊急発報信号を受信すると、初期設定に従って、マネージャ用子機２００ａ、サブマネージャ用子機２００ｂ、クラーク１用子機２００ｃ、クラーク２用子機２００ｄ、及びキッチン用子機２００ｆのほか、ドライブスルー用子機２００ｇ及び店内拡声器にも同報通信によって警報音の音声信号を送信する（ステップＳ１５１）。
【０１４３】
警報音の音声信号を受けた子機において、この警報音の出力をドライブスルー用子機２００ｇ及び店内拡声器では中止すべきと認めたユーザ（図１８の例では、サブマネージャ）は、自己の子機において、レシーブボタン３５６と緊急発報ボタン３５７を同時に長押し（例えば、２秒間）する（拡声器制御操作）。この拡声器制御操作により、子機の制御部５４は、送受信部５１を制御して、親機１００に対して拡声器制御信号を送信する（ステップＳ１５２）。
【０１４４】
拡声器制御信号を受信した親機１００は、この拡声器制御信号の受信に応じて、ドライブスルー用子機２００ｇ及び店内拡声器への警報音の音声信号の送信を停止する（ステップＳ１５３）。この結果、ドライブスルー用子機２００ｇ及び店内拡声器から警報音の出力が停止する。その後の処理は第１の実施の形態と同じである。
【０１４５】
図１９は、本発明の第５の実施の形態における緊急発報の動作を説明するための無線通話システムの構成を示す図である。図１９では、本実施の形態に関係する構成のみを図示している。図１９において、拡声器２５０は、上記のドライブスルー子機２００ｇの拡声器及び店内拡声器を含むその他の拡声器に相当する。
【０１４６】
緊急発報子機２１０にてユーザによる緊急発報操作が行われると、それに応じて、緊急発報部２１１は親機１００に緊急発報信号を送信する。子機１００にて緊急発報信号を受信すると、それに応じて、同報通信部１１０が緊急発報子機以外の子機及び拡声器２５０に警報音を同報送信する。
【０１４７】
親機１００から警報音が同報送信されている状態で、拡声器制御子機２４０にて拡声器制御操作が行われると、それに応じて、拡声器制御部２４１は、親機１００に拡声器制御信号を送信する。親機１００は、拡声器制御信号を受信すると、それに応じて、拡声器２５０に対して、警報音の送信を停止し、又は開始する。
【０１４８】
本実施の形態の緊急発報の動作によれば、初期設定として、警報音を拡声器から出力し、又は出力しないように設定できるとともに、緊急発報があった場合に、その緊急発報ないしは緊急事態の内容によって、初期設定を変更して、拡声器から警報音を出力し、又は出力しないようにすることができる。この結果、不要な警報音を客に聞かせることで不要な混乱を招くことを回避できるとともに、早急な避難が必要な場合等には、拡声器から警報音を出力することにより、多くの人に警報音を聞かせるよう操作することもできる。
【０１４９】
なお、拡声器制御操作は、緊急発報者自身が行ってもよい。また、上記の実施の形態では、ドライブスルー用子機２００ｇ及び店内拡声器から警報音の出力をオンにする拡声器制御操作とオフにする拡声器制御操作とが同じ操作であったが、それぞれ異なる操作としてもよい。本実施の形態の子機において拡声器制御信号を送信するための構成は、本発明の「拡声器制御部」に相当する。
【０１５０】
〈第６の実施の形態〉
図２０は、本発明の第６の実施の形態における緊急発報の動作を示す図である。なお、本実施の形態の全体システムの概略構成は、図２、図５、図６及び図７に示す実施の形態１と同様である。上記の第１ないし第５の実施の形態では、接続要求があったときに、親機１００は、緊急発報子機と接続要求子機との１対１の相互通話を開始した。本実施の形態では、接続要求があった場合に、緊急発報子機と、他の複数の子機との間の同報通信を開始する。緊急発報機能を有する子機にて緊急発報操作が行われて、親機１００に緊急発報信号が送信され、親機１００から同報通信で警報音の音声信号が送信され、その後緊急発報が停止した後に接続要求がされるまでは、第１の実施の形態と同じである。
【０１５１】
本実施の形態では、ある子機（図２０の例では、マネージャ用子機２００ａ）から接続要求信号が送信されると、親機１００は、緊急発報子機（図２０の例では、クラーク１用子機２００ｃ）に通話制御信号を送信する（ステップＳ１６）。緊急発報子機であるクラーク１用子機２００ｃは、通話制御信号を受けて、制御部５４の制御によって、音声入力部５８にて生成された音声信号を、送受信部５１を介して親機１００に送信し（ステップＳ１７）、親機１００は、緊急発報の拡声ルーティングテーブル（図１０参照）に従って、緊急発報子機以外の子機に、緊急発報子機からの音声信号を送信する（ステップＳ１６８）。
【０１５２】
図２１は、本発明の第６の実施の形態における緊急発報の動作を説明するための無線通話システムの構成を示す図である。図２１では、本実施の形態に関係する構成のみを図示している。
【０１５３】
緊急発報子機２１０にてユーザによる緊急発報操作が行われると、それに応じて、緊急発報部２１１は親機１００に緊急発報信号を送信する。子機１００にて緊急発報信号を受信すると、それに応じて、同報通信部１１０が緊急発報子機以外の子機に警報音を同報送信する。また、緊急発報子機２１０にてユーザによる緊急発報停止操作が行われると、それに応じて、緊急発報部２１１は親機１００に緊急発報停止信号を送信する。子機１００にて緊急発報停止信号を受信すると、それに応じて、同報通信部１１０が警報音の同報送信を停止する。
【０１５４】
接続要求子機２２０にて接続要求操作が行われると、それに応じて、接続要求部２２１は親機１００に接続要求信号を送信する。親機１００にて接続要求信号を受信すると、それに応じて、通話制御部１２０は緊急発報子機２１０に通話制御信号を送信する。緊急発報子機２１０にて通話制御信号を受信すると、それに応じて、自動通話開始部２１２は、他の子機との同報通信の通話を開始する。
【０１５５】
本実施の形態によれば、接続要求信号によって緊急発報子機の通話が開始されたときに、緊急発報子機からの音声信号を他の子機に同報通信により送信するので、他の子機のユーザにおいて、緊急事態の詳細を把握できる。なお、この第６の実施の形態に対しても、上記の第２ないし第５の実施の形態を適用可能である。
【０１５６】
以上、第１ないし第６の実施の形態を説明したが、これらの実施の形態にはさらに以下の変形が可能である。まず、上記の実施の形態では、緊急発報の際に、緊急発報子機から親機１００に対して緊急発報信号を送信し、親機１００は、あらかじめ記憶されていた警報音の音声信号を送信したが、緊急発報子機は、緊急発報の際に音声入力部５８で生成された緊急発報者の声の音声信号を親機１００に送信し、親機１００は、この緊急発報者の声の音声信号を他の子機に同報送信してよい。このとき、その通話が緊急発報であることを他の子機のユーザに知らせるために、親機１００は、緊急発報信号の受信に応じて、最初に警報音を同報送信し、その後に緊急発報者の声の音声信号を送信するようにしてもよい。また、警報音は、ビープ音でなく、「緊急事態が発生しました」等のアナウンス音声であってもよい。
【０１５７】
また、上記の説明において、親機１００が特定の子機にのみ送信対象信号を送信する、ないしは特定の子機に送信対象信号を送信しない場合には、受信対象を特定した制御信号とともに送信対象信号を送信し、その送信対象信号をすべての子機において受信したうえで、各子機において自己が受信対象となっている場合にのみ受信した送信対象信号を処理し、自己が受信対象となっていない場合には受信した送信対象信号を破棄することが含まれる。
【０１５８】
また、図８〜１０に示した拡声ルーティングテーブルは、書き換え及び／又は追加が可能であってよい。特に、上記のように、複数の子機について特定の子機を任意に設定できる場合には、当該特定の子機の設定に応じて、拡声ルーティングテーブルも書き換えるか、新たに追加する必要がある。また、特定の子機と一般の子機が固定されている場合にも、拡声ルーティングテーブルを書き換え、又は追加することで、拡声ルーティングを変更し、又は追加することができるので、便利である。拡声ルーティングテーブルの書き換えや追加も、親機１００にて直接行なってもよいし、マネージャ用子機２００ａに入力部を設けてマネージャ用子機から行なえるようにしてもよい。
【０１５９】
また、上記の実施の形態では、ＰＡＧＥモードにおいて、特定の子機について優先的に通信チャンネルを割り当て、その他の子機については優先的な通信チャンネルの割り当てを行わないようにしたが、優先度を複数のレベルに分けてもよい。例えば、マネージャ用子機、サブマネージャ用子機、リーダクラーク用子機、一般クラーク用子機に対して、この順に、段階的な優先度を定義してもよい。この場合、ＰＡＧＥモードにおいて複数の子機による音声スロットの優先割り当てが競合したときは、より優先度の高い子機に優先的にスロットが割り当てられる。
【０１６０】
また、上記の実施の形態における緊急発報操作、接続要求操作、緊急発報停止操作、応答操作、拡声器制御操作は他のボタン操作であってもよい。特に、２つのボタンを同時に押す操作については、専用のボタンを設けてそのボタンを押す操作に代えてもよい。
【０１６１】
以上に現時点で考えられる本発明の好適な実施の形態を説明したが、本実施の形態に対して多様な変形が可能であり、そして、本発明の真実の精神と範囲内にあるそのようなすべての変形を添付の請求の範囲が含むことが意図されている。
【産業上の利用可能性】
【０１６２】
以上のように、本発明にかかる無線通話システムは、緊急発報機能を有する子機によって、緊急発報の同報送信が行なわれ、その緊急発報の後に、接続要求機能を有する子機にて、緊急発報者から更なる情報を得たい場合には、そこから接続要求信号を送信することにより、緊急発報者の子機は、自動的に、通話可能な状態になるので、緊急発報が停止した後に更なる情報を得たい他のユーザは、緊急発報者が誰であるかを知らなくても、当該他のユーザの接続要求機能を有する子機から接続要求信号を送信するだけで、緊急発報者の子機と通話できるとともに、接続要求信号が送信されると、緊急発報者の子機では、自動的に通話が開始されるので、緊急発報者において、緊急発報が停止した後に、他の子機との通話を開始するための操作ができない状況にあったとしても、他の子機との通話が可能になり、子機からの緊急発報が可能な無線通話システム等として有用である。
【符号の説明】
【０１６３】
１  無線通話システム
１００  親機
１１０  同報通信部
１２０  通話制御部
２００ａ  マネージャ用子機
２００ｂ  サブマネージャ用子機
２００ｃ  クラーク１用子機
２００ｄ  クラーク２用子機
２００ｅ  外線電話用子機
２００ｆ  キッチン用子機
２００ｇ  ドライブスルー用子機
２００ａ１、２００ｂ１、２００ｃ１、２００ｄ１  子機本体
２００ａ２、２００ｂ２、２００ｃ２、２００ｄ２  ヘッドセット
３１  ホルダバンド
３２  ホルダパッド
３３  イヤホン
３４  マイク
３５  操作部
３６  ランプ
２１０  緊急発報子機
２１１  緊急発報部
２１２  自動通話開始部
２２０  接続要求子機
２２１  接続要求部
２２２  緊急発報報知部
２３０  応答子機
２３１  応答部
２４０  拡声器制御子機
２４１  拡声器制御部
２５０  拡声器
３５１  ＰＡＧＥモード通話ボタン
３５２  レーン切替えボタン
３５３  ＴＡＬＫモード通話ボタン
３５４  ボリュームダウンボタン
３５５  ボリュームアップボタン
３５６  レシーブボタン
３５７  緊急発報ボタン
５１  送受信部
５２  操作部
５３  報知部
５４  制御部
５５  検出部
５６  記憶部
５７  音声出力部
５８  音声入力部
７１  送受信部
７２  操作部
７３  制御部
７４  検出部
７５  記憶部
【図１】
2015504252.tif 000003
【図２】
2015504252.tif 000004
【図３】
2015504252.tif 000005
【図４】
2015504252.tif 000006
【図５】
2015504252.tif 000007
【図６】
2015504252.tif 000008
【図７】
2015504252.tif 000009
【図８】
2015504252.tif 000010
【図９】
2015504252.tif 000011
【図１０】
2015504252.tif 000012
【図１１】
2015504252.tif 000013
【図１２】
2015504252.tif 000014
【図１３】
2015504252.tif 000015
【図１４】
2015504252.tif 000016
【図１５】
2015504252.tif 000017
【図１６】
2015504252.tif 000018
【図１７】
2015504252.tif 000019
【図１８】
2015504252.tif 000020
【図１９】
2015504252.tif 000021
【図２０】
2015504252.tif 000022
【図２１】
2015504252.tif 000023
【手続補正書】
【提出日】平成25年8月13日(2013.8.13)
【手続補正１】
【補正対象書類名】特許請求の範囲
【補正対象項目名】全文
【補正方法】変更
【補正の内容】
【特許請求の範囲】
【請求項１】
無線通話親機と、前記無線通話親機を介して互いに無線通話を行なう複数の無線通話子機を含む無線通話システムであって、
前記複数の無線通話子機は、緊急発報機能を有し、前記複数の無線通話子機のうちの一部の無線通話子機は、さらに接続要求機能を有し、
前記緊急発報機能を有する無線通話子機は、緊急発報の同報送信を行うための緊急発報部を備え、
前記緊急発報部は、ユーザによる緊急発報操作に応じて、前記緊急発報機能を実行することにより、緊急発報信号を無線通話親機に送信し、
前記緊急発報機能に加えて前記接続要求機能を有する無線通話子機は、前記緊急発報を行なった無線通話子機に対する接続要求信号を送信するための接続要求部を備え、
前記接続要求部は、ユーザによる接続要求操作に応じて、前記接続要求機能を実行することにより、前記接続要求信号を前記無線通話親機に送信し、
前記無線通話親機は、前記緊急発報信号の受信に応じて、前記緊急発報信号を送信した無線通話子機以外の無線通話子機への前記緊急発報の同報送信を行う同報通信部と、前記接続要求信号の受信に応じて、前記緊急発報を行なった無線通話子機を通話可能な状態にするための通話制御信号を送信する通話制御部とを備え、
前記無線通話子機は、前記通話制御信号の受信に応じて、前記接続要求信号を送信した無線通話子機との間の通話を自動的に可能とする自動通話開始部を備えることを特徴とする飲食店で用いられる無線通話システム。
【請求項２】
前記無線通話親機の同報通信部は、前記無線通話にて使用する通信チャンネルを優先的に確保して、前記緊急発報の同報送信を行なうことを特徴とする請求項１に記載の無線通話システム。
【請求項３】
前記複数の無線通話子機には応答機能を有する無線通話子機が含まれ、
前記応答機能を有する無線通話子機は、ユーザによる所定の操作に応じて、前記緊急発報に応答するための応答信号を送信する応答部を備えており、
前記同報通信部は、前記応答信号の受信に応じて、前記緊急発報の同報送信を停止することを特徴とする請求項１に記載の無線通話システム。
【請求項４】
前記複数の無線通話子機のうちの一部の無線通話子機は、拡声器を備えており、
前記複数の無線通話子機のうちの一部の無線通話子機は、前記拡声器から緊急発報の音声を出力し、又は出力しないよう制御するための拡声器制御信号を送信する拡声器制御部を備えており、
前記無線通話親機の同報通信部は、前記拡声器制御信号の受信に応じて、前記拡声器を備えた無線通話子機に緊急発報の音声を送信し又は送信しないようにすることを特徴とする請求項１に記載の無線通話システム。
【請求項５】
無線通話親機と複数の無線通話子機とを備え、前記複数の無線通話子機が複数の通話チャンネルを使用して前記無線通話親機を介して互いに無線通話を行ない、前記複数の無線通話子機には、専用の通信チャンネルを有する第１の無線通話子機と、前記専用の通信チャンネルと異なる複数の通信チャンネルを有する第２の無線通話子機とを含む無線通話システムであって、
前記第２の無線通話子機は、所定の操作により他の無線通話子機に対して同報通信を行い、かつ、前記無線通話親機に対して前記第２の無線通話子機自らのＩＤ信号を送り、前記第２の無線通話子機が前記同報通信を行った後に、前記第１の無線通話子機が前記同報通信を行った第２の無線通話子機に対して接続を要求すると、前記無線通話親機は、受信した前記第２の無線通話子機のＩＤ信号に基づいて前記第１の無線通話子機と前記第２の無線通話子機との間のみの通話を可能とすることを特徴とする飲食店で用いられる無線通話システム。
【請求項６】
前記第１の無線通話子機と前記１つの第２の無線通話子機との間の通話には、前記第１の無線通話子機の専用の通信チャンネル以外の前記複数の通信チャンネルの１つが優先的に使用されることを特徴とする請求項５に記載の無線通話システム。
【請求項７】
前記第１の無線通話子機と前記１つの第２の無線通話子機との間の通話には、前記第１の無線通話子機の専用の通信チャンネルが使用されることを特徴とする請求項５に記載の無線通話システム。
【国際調査報告】
2015504252.tif 000024
2015504252.tif 000025
2015504252.tif 000026